(57)【要約】  本出願は、端末デバイスが正確なブロードキャスト情報を取得することができず、結果として、ネットワークにアクセスすることができないという従来技術の問題を解決するために、物理ブロードキャストチャネルの送受信方法および装置を提供する。この方法では、2つの時間周波数リソース位置で2つの対応する物理ブロードキャストチャネル上の2つのブロードキャストチャネル信号を受信した後、端末デバイスは、対応する時間周波数リソース位置のオフセット以外の情報が、2つのブロードキャストチャネル信号で搬送された2つのブロードキャスト情報内で同じであると判断し、前述の2つの時間周波数リソース位置間の時間オフセット差を取得し、時間オフセット差に基づいてスクランブリング符号系列を生成し、端末デバイスは、スクランブリング符号系列および事前設定されたスクランブリング符号系列に基づいて、2つのブロードキャストチャネル信号を別々にスクランブル解除し、それにより、1つのブロードキャスト情報を取得するために、2つのブロードキャストチャネル信号に対してジョイント復号が実行される。このようにして、端末デバイスは、ブロードキャスト情報内の各情報に基づいてネットワークにアクセスすることができる。
2019526964.tif 000002
【特許請求の範囲】
【請求項１】
物理ブロードキャストチャネル送信方法であって、
基地局により、無線フレーム内の少なくとも2つの時間周波数リソース位置で少なくとも2つの物理ブロードキャストチャネルを送信するステップであって、1つの時間周波数リソース位置が1つの物理ブロードキャストチャネルに対応し、前記物理ブロードキャストチャネルがブロードキャスト情報を搬送し、前記ブロードキャスト情報が、前記物理ブロードキャストチャネルに対応する時間周波数リソース位置の時間オフセットを備え、前記物理ブロードキャストチャネルに対応する前記時間周波数リソース位置の前記時間オフセットが、時間領域内の前記物理ブロードキャストチャネルに対応する前記時間周波数リソース位置の時間位置と、前記無線フレームのフレームヘッダ位置との間の時間間隔に関する情報であり、前記少なくとも2つの物理ブロードキャストチャネル上で搬送されたブロードキャスト情報に備えられる前記時間周波数リソース位置の時間オフセットが異なる、ステップと、
前記基地局により、前記少なくとも2つの物理ブロードキャストチャネル用の指示情報を送信するステップであって、前記指示情報が、前記時間周波数リソース位置の前記時間オフセット以外の情報が、前記少なくとも2つの物理ブロードキャストチャネル上で搬送された前記ブロードキャスト情報内で同じであることを、端末デバイスに通知するために使用される、ステップと
を備える、物理ブロードキャストチャネル送信方法。
【請求項２】
前記基地局により、前記少なくとも2つの物理ブロードキャストチャネル用の指示情報を送信する前記ステップが、
前記基地局により、少なくとも2つの同期信号を送信するステップであって、任意の同期信号が前記少なくとも2つの物理ブロードキャストチャネルのうちの少なくとも1つに対応し、前記少なくとも2つの同期信号で搬送された同期信号列が、前記少なくとも2つの物理ブロードキャストチャネルの前記指示情報を備える、ステップ
を備える、請求項1に記載の方法。
【請求項３】
前記指示情報が、前記少なくとも2つの同期信号で搬送された前記同期信号列である、請求項2に記載の方法。
【請求項４】
前記少なくとも2つの時間周波数リソース位置のうちのいずれか1つの時間オフセットと、別の時間周波数リソース位置の時間オフセットとの間の差が、1つの固有の差分シーケンスに対応する、請求項1から3のいずれか一項に記載の方法。
【請求項５】
基地局により、無線フレーム内の少なくとも2つの時間周波数リソース位置で少なくとも2つの物理ブロードキャストチャネルを送信する前記ステップが、
前記基地局により、少なくとも2つの対応するブロードキャストチャネル信号を生成するために、前記少なくとも2つの物理ブロードキャストチャネル上で搬送された前記ブロードキャスト情報に対して、同じ方式で、巡回冗長符号CRCの付加、チャネル符号化、スクランブリング、および変調を実行するステップと、
前記基地局により、前記少なくとも2つの物理ブロードキャストチャネルの各々で、前記物理ブロードキャストチャネル上で搬送されたブロードキャスト情報に対応するブロードキャストチャネル信号を送信するステップと
を備える、請求項1から4のいずれか一項に記載の方法。
【請求項６】
物理ブロードキャストチャネル受信方法であって、
端末デバイスにより、無線フレーム内の第1の時間周波数リソース位置で対応する第1の物理ブロードキャストチャネル上の第1のブロードキャストチャネル信号を受信し、第2の時間周波数リソース位置で対応する第2の物理ブロードキャストチャネル上の第2のブロードキャストチャネル信号を受信するステップであって、前記第1のブロードキャストチャネル信号が第1のブロードキャスト情報を搬送し、前記第1のブロードキャスト情報が前記第1の時間周波数リソース位置の時間オフセットを備え、前記第2のブロードキャストチャネル信号が第2のブロードキャスト情報を搬送し、前記第2のブロードキャスト情報が前記第2の時間周波数リソース位置の時間オフセットを備え、任意の時間周波数リソース位置の時間オフセットが、時間領域内の前記時間周波数リソース位置の時間位置と前記無線フレームのフレームヘッダ位置との間の時間間隔に関する情報である、ステップと、
前記端末デバイスにより、前記第1のブロードキャスト情報内の第1の情報が前記第2のブロードキャスト情報内の第2の情報と同じであると判断するステップであって、前記第1の情報が前記第1のブロードキャスト情報内の前記第1の時間周波数リソース位置の前記時間オフセット以外の情報であり、前記第2の情報が前記第2のブロードキャスト情報内の前記第2の時間周波数リソース位置の前記時間オフセット以外の情報である、ステップと、
前記端末デバイスにより、時間領域内の前記第1の時間周波数リソース位置と前記第2の時間周波数リソース位置との間の時間オフセット差を特定し、前記時間オフセット差に対応する差分シーケンスを取得し、前記差分シーケンスに基づいてスクランブリング符号系列を生成するステップであって、1つの時間オフセット差が1つの固有の差分シーケンスに対応する、ステップと、
前記端末デバイスにより、前記スクランブリング符号系列に基づいて前記第1のブロードキャストチャネル信号をスクランブル解除し、前記第2のブロードキャストチャネル信号の事前設定された第2のスクランブリング符号系列に基づいて前記第2のブロードキャストチャネル信号をスクランブル解除し、前記第2のブロードキャスト情報を取得するために、前記スクランブル解除された第1のブロードキャストチャネル信号および前記スクランブル解除された第2のブロードキャストチャネル信号に対してジョイント復号を実行するステップと
を備える、物理ブロードキャストチャネル受信方法。
【請求項７】
前記端末デバイスにより、第1の情報が第2の情報と同じであると判断する前記ステップが、
前記端末デバイスにより、前記第1の物理ブロードキャストチャネルおよび前記第2の物理ブロードキャストチャネルの指示情報を取得し、前記指示情報に基づいて、前記第1の情報が前記第2の情報と同じであると判断するステップ、または
前記端末デバイスにより、複数の事前設定されたスクランブリング符号系列から、前記第1のブロードキャストチャネル信号の第1のスクランブリング符号系列および前記第2のブロードキャストチャネル信号の前記第2のスクランブリング符号系列を決定し、前記第1のスクランブリング符号系列および前記第2のスクランブリング符号系列に基づいて、前記第1の情報が前記第2の情報と同じであると判断するステップ
を備える、請求項6に記載の方法。
【請求項８】
前記端末デバイスにより、指示情報を取得する前記ステップが、
前記端末デバイスにより、前記第1の物理ブロードキャストチャネルに対応する第1の同期信号および前記第2の物理ブロードキャストチャネルに対応する第2の同期信号を受信し、前記第1の同期信号および前記第2の同期信号で搬送された同期信号列に備えられる前記指示情報を取得するステップ
を備える、請求項7に記載の方法。
【請求項９】
前記指示情報が、前記第1の同期信号および前記第2の同期信号で搬送された前記同期信号列である、請求項8に記載の方法。
【請求項１０】
前記端末デバイスにより、前記第1のスクランブリング符号系列および前記第2のスクランブリング符号系列に基づいて、前記第1の情報が前記第2の情報と同じであると判断する前記ステップが、
前記第1のスクランブリング符号系列が前記第2のスクランブリング符号系列と同じであると判断すると、前記端末デバイスにより、前記第1の情報が前記第2の情報と同じであると判断するステップ
を備える、請求項7に記載の方法。
【請求項１１】
前記端末デバイスが前記第2のブロードキャスト情報を取得した後に、前記方法が、
前記端末デバイスにより、前記第2のブロードキャスト情報に備えられる前記第2の時間周波数リソース位置の前記時間オフセットを取得するステップと、
前記端末デバイスにより、時間領域内の前記第2の時間周波数リソース位置の時間位置、および前記第2の時間周波数リソース位置の前記取得された時間オフセットに基づいて、前記無線フレームの前記フレームヘッダ位置を特定するステップと
をさらに備える、請求項6から10のいずれか一項に記載の方法。
【請求項１２】
無線フレーム内の少なくとも2つの時間周波数リソース位置で少なくとも2つの物理ブロードキャストチャネルを送信するように構成された送信ユニットであって、1つの時間周波数リソース位置が1つの物理ブロードキャストチャネルに対応し、前記物理ブロードキャストチャネルがブロードキャスト情報を搬送し、前記ブロードキャスト情報が、前記物理ブロードキャストチャネルに対応する時間周波数リソース位置の時間オフセットを備え、前記物理ブロードキャストチャネルに対応する前記時間周波数リソース位置の前記時間オフセットが、時間領域内の前記物理ブロードキャストチャネルに対応する前記時間周波数リソース位置の時間位置と、前記無線フレームのフレームヘッダ位置との間の時間間隔に関する情報であり、前記少なくとも2つの物理ブロードキャストチャネル上で搬送されたブロードキャスト情報に備えられる前記時間周波数リソース位置の時間オフセットが異なる、送信ユニットと、
前記少なくとも2つの物理ブロードキャストチャネル用の指示情報を生成するように構成された処理ユニットであって、前記指示情報が、前記時間周波数リソース位置の前記時間オフセット以外の情報が、前記少なくとも2つの物理ブロードキャストチャネル上で搬送された前記ブロードキャスト情報内で同じであることを、端末デバイスに通知するために使用される、処理ユニットと
を備え、
前記送信ユニットが、前記指示情報を送信するようにさらに構成される、
基地局。
【請求項１３】
前記送信ユニットが、
少なくとも2つの同期信号を送信することであって、任意の同期信号が前記少なくとも2つの物理ブロードキャストチャネルのうちの少なくとも1つに対応し、前記少なくとも2つの同期信号で搬送された同期信号列が、前記少なくとも2つの物理ブロードキャストチャネルの前記指示情報を備える、送信すること
を行うようにさらに構成される、請求項12に記載の基地局。
【請求項１４】
前記指示情報が、前記少なくとも2つの同期信号で搬送された前記同期信号列である、請求項13に記載の基地局。
【請求項１５】
前記少なくとも2つの時間周波数リソース位置のうちのいずれか1つの時間オフセットと、別の時間周波数リソース位置の時間オフセットとの間の差が、1つの固有の差分シーケンスに対応する、請求項12から14のいずれか一項に記載の基地局。
【請求項１６】
前記処理ユニットが、
前記送信ユニットが前記少なくとも2つの時間周波数リソース位置で前記少なくとも2つの対応するブロードキャストチャネルを送信する前に、少なくとも2つの対応するブロードキャストチャネル信号を生成するために、前記少なくとも2つの物理ブロードキャストチャネル上で搬送された前記ブロードキャスト情報に対して、同じ方式で、巡回冗長検査CRC符号の付加、チャネル符号化、スクランブリング、および変調を実行するようにさらに構成され、
前記送信ユニットが、
前記少なくとも2つの物理ブロードキャストチャネルの各々で、前記物理ブロードキャストチャネル上で搬送されたブロードキャスト情報に対応するブロードキャストチャネル信号を送信するようにさらに構成される、
請求項12から15のいずれか一項に記載の基地局。
【請求項１７】
無線フレーム内の第1の時間周波数リソース位置で対応する第1の物理ブロードキャストチャネル上の第1のブロードキャストチャネル信号を受信し、第2の時間周波数リソース位置で対応する第2の物理ブロードキャストチャネル上の第2のブロードキャストチャネル信号を受信するように構成された受信ユニットであって、前記第1のブロードキャストチャネル信号が第1のブロードキャスト情報を搬送し、前記第1のブロードキャスト情報が前記第1の時間周波数リソース位置の時間オフセットを備え、前記第2のブロードキャストチャネル信号が第2のブロードキャスト情報を搬送し、前記第2のブロードキャスト情報が前記第2の時間周波数リソース位置の時間オフセットを備え、任意の時間周波数リソース位置の時間オフセットが、時間領域内の前記時間周波数リソース位置の時間位置と前記無線フレームのフレームヘッダ位置との間の時間間隔に関する情報である、受信ユニットと、
前記第1のブロードキャスト情報内の第1の情報が前記第2のブロードキャスト情報内の第2の情報と同じであると判断することであって、前記第1の情報が前記第1のブロードキャスト情報内の前記第1の時間周波数リソース位置の前記時間オフセット以外の情報であり、前記第2の情報が前記第2のブロードキャスト情報内の前記第2の時間周波数リソース位置の前記時間オフセット以外の情報である、判断することと、
時間領域内の前記第1の時間周波数リソース位置と前記第2の時間周波数リソース位置との間の時間オフセット差を特定することと、
前記時間オフセット差に対応する差分シーケンスを取得し、前記差分シーケンスに基づいてスクランブリング符号系列を生成することであって、1つの時間オフセット差が1つの固有の差分シーケンスに対応する、生成することと、
前記スクランブリング符号系列に基づいて前記第1のブロードキャストチャネル信号をスクランブル解除し、前記第2のブロードキャストチャネル信号の事前設定された第2のスクランブリング符号系列に基づいて前記第2のブロードキャストチャネル信号をスクランブル解除し、前記第2のブロードキャスト情報を取得するために、前記スクランブル解除された第1のブロードキャストチャネルおよび前記スクランブル解除された第2のブロードキャストチャネルに対してジョイント復号を実行することと
を行うように構成された処理ユニットと
を備える、端末デバイス。
【請求項１８】
前記処理ユニットが、
前記第1の物理ブロードキャストチャネルおよび前記第2の物理ブロードキャストチャネルの指示情報を取得し、前記指示情報に基づいて、前記第1の情報が前記第2の情報と同じであると判断すること、または
複数の事前設定されたスクランブリング符号系列から、前記第1のブロードキャストチャネル信号の第1のスクランブリング符号系列および前記第2のブロードキャストチャネル信号の前記第2のスクランブリング符号系列を決定し、前記第1のスクランブリング符号系列および前記第2のスクランブリング符号系列に基づいて、前記第1の情報が前記第2の情報と同じであると判断すること
を行うようにさらに構成される、請求項17に記載の端末デバイス。
【請求項１９】
前記受信ユニットが、前記第1の物理ブロードキャストチャネルに対応する第1の同期信号および前記第2の物理ブロードキャストチャネルに対応する第2の同期信号を受信するようにさらに構成され、
前記処理ユニットが、
前記第1の同期信号および前記第2の同期信号で搬送された同期信号列に備えられる前記指示情報を取得するようにさらに構成される、
請求項18に記載の端末デバイス。
【請求項２０】
前記指示情報が、前記第1の同期信号および前記第2の同期信号で搬送された前記同期信号列である、請求項19に記載の端末デバイス。
【請求項２１】
前記処理ユニットが、
前記第1のスクランブリング符号系列が前記第2のスクランブリング符号系列と同じであると判断すると、前記第1の情報が前記第2の情報と同じであると判断するようにさらに構成される、
請求項18に記載の端末デバイス。
【請求項２２】
前記処理ユニットが、
前記第2のブロードキャスト情報を取得した後に、前記第2のブロードキャスト情報に備えられる前記第2の時間周波数リソース位置の前記時間オフセットを取得することと、
時間領域内の前記第2の時間周波数リソース位置の時間位置、および前記第2の時間周波数リソース位置の前記取得された時間オフセットに基づいて、前記無線フレームの前記フレームヘッダ位置を特定することと
を行うようにさらに構成される、請求項17から21のいずれか一項に記載の端末デバイス。
【発明の詳細な説明】
【技術分野】
【０００１】
本出願は、参照によりその全体が本明細書に組み込まれる、2016年8月12日に中国特許庁に出願され、「PHYSICAL BROADCAST CHANNEL SENDING／RECEIVING METHOD，AND APPARATUS」と題する、中国特許出願第201610666756．9号の優先権を主張する。
【０００２】
本出願は、通信技術の分野に関し、詳細には、物理ブロードキャストチャネルの送受信方法および装置に関する。
【背景技術】
【０００３】
通信技術の発展と共に、ワイヤレスアクセスシステムの搬送波周波数範囲もますます大きくなっている。高搬送波周波数信号は、自由空間でより深刻にフェードする。言い換えれば、高搬送波周波数信号の経路損失は比較的大きい。したがって、ワイヤレスアクセスシステムでは、高搬送波周波数を有する基地局のセルにカバレージホールが存在する。
【０００４】
カバレージ要件を満たすために、ワイヤレスアクセスシステム内の基地局は、複数のビームがセクタ全体をカバーできることを保証するために、各セクタ内で異なる時間に複数の指向性ビームを送信する必要がある。セクタ内の端末デバイスは、複数のビームを使用することにより、1つの基地局によって送信された信号を同時に検出することができる。
【０００５】
端末デバイスは、無線フレームのフレームヘッダ位置および正確なブロードキャスト情報内のシステム情報を特定するときにネットワークにアクセスする。ブロードキャスト情報は、物理ブロードキャストチャネル（Physical Broadcast Channel、PBCH）を使用して基地局によってブロードキャストされ、システム情報は、マスタ情報ブロック（Master Information Block、MIB）である。
【０００６】
前述のマルチビームワイヤレスアクセスシステムでは、基地局は、各ビームを使用することにより、異なる時間周波数リソース位置で対応する同期信号を周期的に送信する。明らかに、異なるビームの同期信号が異なる時間に送信されるとき、異なるビームの同期信号の時間オフセットは異なる。任意の同期信号の時間オフセットは、基地局が無線フレーム内で同期信号を送信する時間位置と、無線フレームのフレームヘッダ位置との間の時間オフセットである。同期信号検出の複雑さを低減するために、基地局によって送信され、異なる時間オフセットを含む同期信号は同じである。同期信号を受信した後、端末デバイスは同期信号の時間オフセットを特定することができず、結果として、無線フレームのフレームヘッダ位置を特定することができない。
【０００７】
端末デバイスが無線フレームのフレームヘッダ位置を特定できることを保証するために、基地局は、ブロードキャスト情報を送信するときにブロードキャスト情報の時間オフセットをブロードキャスト情報に追加する。ブロードキャスト情報のオフセットは、基地局が無線フレーム内でブロードキャスト情報を送信する時間位置と、無線フレームのフレームヘッダ位置との間の時間オフセットである。この場合、ブロードキャスト情報を受信すると、端末デバイスは、ブロードキャスト情報の時間オフセットおよびブロードキャスト情報が受信された時間位置に基づいて、無線フレームのフレームヘッダ位置を特定することができる。
【発明の概要】
【０００８】
マルチビームワイヤレスアクセスシステムには、不均一なカバレージという問題が存在する。たとえば、図1の位置Aにある端末デバイスは、ビーム1およびビーム2を使用することにより、基地局によって送信された2つのブロードキャスト情報を受信することができる。しかしながら、2つのブロードキャスト情報は異なるタイムオフセット情報を含むので、2つのブロードキャスト情報は異なり、端末デバイスは、受信された2つのブロードキャスト情報に対してジョイント復号を実行して、正確なブロードキャスト情報を取得することができない。結果として、端末デバイスはネットワークにアクセスすることができない。
【課題を解決するための手段】
【０００９】
本出願は、マルチビームワイヤレスアクセスシステムにおいて、複数のビームのブロードキャスト情報を受信するときに、端末デバイスがジョイント復号を実行して正確なブロードキャスト情報を取得することができず、結果として、端末デバイスが基地局から比較的離れているときに、端末デバイスがネットワークにアクセスすることができないという従来技術の問題を解決するために、物理ブロードキャストチャネルの送受信方法および装置を提供する。
【００１０】
本出願で提供される具体的な技術的解決策は以下の通りである。
【００１１】
第1の態様によれば、本出願の一実施形態は物理ブロードキャストチャネル送信方法を提供し、方法は、マルチビームワイヤレスアクセスシステムに適用され、
基地局により、無線フレーム内の少なくとも2つの時間周波数リソース位置で少なくとも2つの物理ブロードキャストチャネルを送信するステップと、少なくとも2つの物理ブロードキャストチャネル用の指示情報を送信するステップとを含み、1つの時間周波数リソース位置は1つの物理ブロードキャストチャネルに対応し、物理ブロードキャストチャネルはブロードキャスト情報を搬送し、ブロードキャスト情報は、物理ブロードキャストチャネルに対応する時間周波数リソース位置の時間オフセットを含み、物理ブロードキャストチャネルに対応する時間周波数リソース位置の時間オフセットは、時間領域内の物理ブロードキャストチャネルに対応する時間周波数リソース位置の時間位置と、無線フレームのフレームヘッダ位置との間の時間間隔に関する情報であり、指示情報は、時間周波数リソース位置の時間オフセット以外の情報が、少なくとも2つの物理ブロードキャストチャネル上で搬送されたブロードキャスト情報内で同じであることを、端末デバイスに通知するために使用される。
【００１２】
前述の方法を使用することにより、基地局は、無線フレーム内の少なくとも2つの時間周波数リソース位置で少なくとも2つの物理ブロードキャストチャネルを送信し、少なくとも2つの物理ブロードキャストチャネル用の指示情報を送信する。この場合、2つの物理ブロードキャストチャネル上のブロードキャストチャネル信号を受信した後、端末デバイスは、2つの物理ブロードキャストチャネルの指示情報に基づいて、時間周波数リソース位置の時間オフセット以外の情報が、2つのブロードキャストチャネル信号で搬送されたブロードキャスト情報内で同じであると判断して、2つのブロードキャストチャネル信号に対してジョイント復号をさらに実施し、ブロードキャストチャネル信号のうちの1つで搬送されたブロードキャスト情報を取得することができる。
【００１３】
可能な設計では、基地局は、以下の方式で少なくとも2つの物理ブロードキャストチャネル用の指示情報を送信する。
【００１４】
基地局は少なくとも2つの同期信号を送信する。任意の同期信号は、少なくとも2つの物理ブロードキャストチャネルのうちの少なくとも1つに対応し、少なくとも2つの同期信号で搬送された同期信号列は、少なくとも2つの物理ブロードキャストチャネルの指示情報を含む。
【００１５】
前述の方法を使用することにより、基地局は、基地局と端末デバイスとの間のシグナリング相互作用の増大を回避するために、同期信号を使用して物理ブロードキャストチャネルの指示情報を送信する。
【００１６】
可能な設計では、指示情報は、少なくとも2つの同期信号で搬送された同期信号列である。
【００１７】
前述の方法を使用すると、同期信号の同期信号列を追加することを回避し、基地局が同期信号を送信するオーバーヘッドの増大を回避することができる。
【００１８】
可能な設計では、少なくとも2つの時間周波数リソース位置のうちのいずれか1つの時間オフセットと、別の時間周波数リソース位置の時間オフセットとの間の差（すなわち、本質的に時間差である、時間領域内の前述の2つの時間周波数リソース位置間の時間オフセット差）は、1つの固有の差分シーケンスに対応する。
【００１９】
前述の方法を使用することにより、端末デバイスは、時間領域内の2つの時間周波数リソース位置の時間オフセット差に基づいて差分シーケンスを特定して、差分シーケンスに基づいてスクランブリング符号系列をさらに取得することができる。
【００２０】
可能な設計では、差分シーケンスと前述の2つの時間周波数リソース位置の時間オフセットのビット列との間に線形関係が存在する。前述の2つの時間周波数リソース位置の時間オフセットのビット列は、前述の2つの時間周波数リソース位置で物理ブロードキャストチャネル上で搬送されたブロードキャスト情報内のビット列である。
【００２１】
可能な設計では、基地局は、以下のステップで、少なくとも2つの時間周波数リソース位置で少なくとも2つの物理ブロードキャストチャネルを送信する。
【００２２】
基地局は、同じ方式で、少なくとも2つの物理ブロードキャストチャネル上で搬送されたブロードキャスト情報に対して、巡回冗長検査CRC符号の付加、チャネル符号化、スクランブリング、および変調を実行して、少なくとも2つの対応するブロードキャストチャネル信号を生成する。次いで、基地局は、少なくとも2つの物理ブロードキャストチャネルの各々で、物理ブロードキャストチャネル上で搬送されたブロードキャスト情報に対応するブロードキャストチャネル信号を送信する。
【００２３】
前述の方法を使用することにより、基地局は、ブロードキャスト情報を、物理ブロードキャストチャネルを使用して送信され得るブロードキャストチャネル信号に変換することができる。
【００２４】
第2の態様によれば、本出願の一実施形態は物理ブロードキャストチャネル受信方法を提供し、方法は、マルチビームワイヤレスアクセスシステムに適用され、
端末デバイスにより、無線フレーム内の第1の時間周波数リソース位置で対応する第1の物理ブロードキャストチャネル上の第1のブロードキャストチャネル信号を受信し、第2の時間周波数リソース位置で対応する第2の物理ブロードキャストチャネル上の第2のブロードキャストチャネル信号を受信するステップであって、第1のブロードキャストチャネル信号が第1のブロードキャスト情報を搬送し、第1のブロードキャスト情報が第1の時間周波数リソース位置の時間オフセットを含み、第2のブロードキャストチャネル信号が第2のブロードキャスト情報を搬送し、第2のブロードキャスト情報が第2の時間周波数リソース位置の時間オフセットを含み、任意の時間周波数リソース位置の時間オフセットが、時間領域内の時間周波数リソース位置の時間位置と無線フレームのフレームヘッダ位置との間の時間間隔に関する情報である、ステップと、
端末デバイスにより、第1のブロードキャスト情報内の第1の情報が第2のブロードキャスト情報内の第2の情報と同じであると判断するステップであって、第1の情報が第1のブロードキャスト情報内の第1の時間周波数リソース位置の時間オフセット以外の情報であり、第2の情報が第2のブロードキャスト情報内の第2の時間周波数リソース位置の時間オフセット以外の情報である、ステップと、
端末デバイスにより、時間領域内の第1の時間周波数リソース位置と第2の時間周波数リソース位置との間の時間オフセット差を特定し、時間オフセット差と差分シーケンスとの間の対応関係に基づいて時間オフセット差に対応する差分シーケンスを取得し、差分シーケンスに基づいてスクランブリング符号系列を生成するステップであって、時間オフセット差と差分シーケンスとの間の対応関係において1つの時間オフセット差が1つの固有の差分シーケンスに対応する、ステップと、
端末デバイスにより、スクランブリング符号系列に基づいて第1のブロードキャストチャネル信号をスクランブル解除し、第2のブロードキャストチャネル信号の事前設定された第2のスクランブリング符号系列に基づいて第2のブロードキャストチャネル信号をスクランブル解除し、第2のブロードキャスト情報を取得するために、スクランブル解除された第1のブロードキャストチャネル信号およびスクランブル解除された第2のブロードキャストチャネル信号に対してジョイント復号を実行するステップと
を含む。
【００２５】
前述の方法を使用することにより、端末デバイスは正確なブロードキャスト情報を取得し、ブロードキャスト情報に含まれる時間周波数リソース位置の時間オフセットに基づいて無線フレームのフレームヘッダ位置を特定し、無線フレームの取得された正確なフレームヘッダ位置およびブロードキャスト情報で搬送された（システム情報などの）情報の各々に基づいて、ネットワークにアクセスすることができる。
【００２６】
可能な設計では、端末デバイスは、以下の2つの方式で、第1の情報が第2の情報と同じであると判断することができる。
【００２７】
方式1：端末デバイスが、第1の物理ブロードキャストチャネルおよび第2の物理ブロードキャストチャネルの指示情報を取得し、指示情報に基づいて、第1の情報が第2の情報と同じであると判断する。
【００２８】
方式2：端末デバイスが、複数の事前設定されたスクランブリング符号系列から、第1のブロードキャストチャネル信号の第1のスクランブリング符号系列および第2のブロードキャストチャネル信号の第2のスクランブリング符号系列を決定し、第1のスクランブリング符号系列および第2のスクランブリング符号系列に基づいて、第1の情報が第2の情報と同じであると判断する。
【００２９】
前述の方式を使用することにより、その後、端末デバイスは、第1の情報が第2の情報と同じであると判断した後にのみ、2つのブロードキャストチャネル信号を別々にスクランブル解除し、2つのスクランブル解除されたブロードキャストチャネル信号に対してジョイント復号を実行して、ブロードキャストチャネル信号のうちの1つで搬送されたブロードキャスト情報を取得することができる。
【００３０】
可能な設計では、端末デバイスは、以下の方法を使用することによって指示情報を取得する。
【００３１】
端末デバイスが、第1の物理ブロードキャストチャネルに対応する第1の同期信号および第2の物理ブロードキャストチャネルに対応する第2の同期信号を受信し、第1の同期信号および第2の同期信号で搬送された同期信号列に含まれる指示情報を取得する。
【００３２】
前述の方法を使用することにより、端末デバイスは、同期信号を使用することによって、基地局と端末デバイスとの間のシグナリング相互作用の増大を回避するために、物理ブロードキャストチャネルの指示情報であり、基地局によって送信された指示情報を受信する。
【００３３】
可能な設計では、指示情報は、第1の同期信号および第2の同期信号で搬送された同期信号列である。
【００３４】
前述の方法を使用すると、前述の2つの同期信号の同期信号列を追加することを回避し、基地局が同期信号を送信するオーバーヘッドの増加を回避することができる。
【００３５】
可能な設計では、指示情報が指定されたシーケンスであると判断すると、端末デバイスは、第1の情報が第2の情報と同じであると判断する。
【００３６】
可能な設計では、指示情報内で第1の同期信号で搬送された同期信号列が第2の同期信号で搬送された同期信号列と同じであると判断すると、端末デバイスは、第1の情報が第2の情報と同じであると判断する。
【００３７】
可能な設計では、端末デバイスが、第1のスクランブリング符号系列および第2のスクランブリング符号系列に基づいて、第1の情報が第2の情報と同じであると判断することは、
第1のスクランブリング符号系列が第2のスクランブリング符号系列と同じであると判断すると、端末デバイスにより、第1の情報が第2の情報と同じであると判断すること
を含む。
【００３８】
可能な設計では、端末デバイスは、以下のステップを使用することにより、差分シーケンスに基づいてスクランブリング符号系列を生成する。
【００３９】
端末デバイスが、シーケンスが追加された後に取得された差分シーケンスのビット列長が、第1のブロードキャストチャネル信号で搬送された第1のブロードキャスト情報のビット列長と同じであるように、差分シーケンスにシーケンスを追加し、シーケンスが追加された後に取得された差分シーケンスに対して、CRCの付加およびチャネル符号化などの処理を実行し、処理されたシーケンスおよび第1のブロードキャストチャネル信号の事前設定された第1のスクランブリング符号系列を参照して、スクランブリング符号系列を生成する。
【００４０】
前述の方法を使用することにより、端末デバイスは、スクランブリング符号系列に基づいて第1のブロードキャストチャネル信号をスクランブル解除することができ、その結果、スクランブル解除された第1のブロードキャストチャネル信号で搬送された情報が、事前設定された第2のスクランブリング符号系列を使用してスクランブル解除された第2のブロードキャストチャネル信号で搬送された情報と同じであるとき、第2のブロードキャスト情報を取得するためにジョイント復号が実施される。
【００４１】
可能な設計では、端末デバイスが第2のブロードキャスト情報を取得した後、端末デバイスは、第2のブロードキャスト情報に含まれる第2の時間周波数リソース位置の時間オフセットを取得する。
【００４２】
端末デバイスは、時間領域内の第2の時間周波数リソース位置の時間位置、および第2の時間周波数リソース位置の取得された時間オフセットに基づいて、無線フレームのフレームヘッダ位置を特定する。
【００４３】
前述のステップを使用することにより、端末デバイスは、無線フレームの正確なフレームヘッダ位置を取得して、ネットワークにアクセスすることができる。
【００４４】
可能な設計では、端末デバイスは、以下の方法を使用することにより、無線フレームのフレームヘッダ位置を特定する。
【００４５】
端末デバイスが、時間領域内の第2の時間周波数リソース位置の時間位置（第2のブロードキャストチャネル信号が受信された時間位置）から、第2の時間周波数リソース位置の時間オフセットを減算して、無線フレームのフレームヘッダ位置を取得する。
【００４６】
前述の方法を使用することにより、端末デバイスは、無線フレームの正確なフレームヘッダ位置を取得することができる。
【００４７】
第3の態様によれば、本出願の一実施形態は基地局をさらに提供し、基地局は、前述の方法設計における基地局の挙動を実現する機能を有する。機能は、ハードウェアによって実現されてもよく、ハードウェアが対応するソフトウェアを実行することによって実現されてもよい。ハードウェアまたはソフトウェアは、前述の機能に対応する1つまたは複数のモジュールを含む。
【００４８】
可能な設計では、基地局の構造は処理ユニットおよび送信ユニットを含み、これらのユニットは前述の方法設計における対応する機能を実行することができる。詳細については、方法設計における詳細説明を参照されたい。詳細は本明細書では再び記載されない。
【００４９】
可能な設計では、基地局の構造は、トランシーバ、プロセッサ、バス、およびメモリを含み、トランシーバはマルチビームワイヤレスアクセスシステム内の別のデバイスとの通信相互作用を実行するように構成され、プロセッサは、前述の方法における対応する機能を実行する際に基地局をサポートするように構成される。メモリはプロセッサに結合され、メモリは基地局に必要なプログラム命令およびデータを記憶する。
【００５０】
第4の態様によれば、本出願の一実施形態は端末デバイスをさらに提供し、端末デバイスは、前述の方法設計における端末デバイスの挙動を実現する機能を有する。機能は、ハードウェアによって実現されてもよく、ハードウェアが対応するソフトウェアを実行することによって実現されてもよい。ハードウェアまたはソフトウェアは、前述の機能に対応する1つまたは複数のモジュールを含む。
【００５１】
可能な設計では、端末デバイスの構造は受信ユニットおよび処理ユニットを含み、これらのユニットは前述の方法設計における対応する機能を実行することができる。詳細については、方法設計における詳細説明を参照されたい。詳細は本明細書では再び記載されない。
【００５２】
可能な設計では、端末デバイスの構造は、トランシーバ、プロセッサ、バス、およびメモリを含み、トランシーバはマルチビームワイヤレスアクセスシステム内の別のデバイスとの通信相互作用を実行するように構成され、プロセッサは、前述の方法における対応する機能を実行する際に端末デバイスをサポートするように構成される。メモリはプロセッサに結合され、メモリは端末デバイスに必要なプログラム命令およびデータを記憶する。
【００５３】
第5の態様によれば、本出願の一実施形態はマルチビームワイヤレスアクセスシステムを提供し、マルチビームワイヤレスアクセスシステムは基地局および端末デバイスを含む。
【００５４】
本出願で提供される物理ブロードキャストチャネル送受信方法を使用することにより、マルチビームワイヤレスアクセスシステム内の基地局は、無線フレーム内の少なくとも2つの時間周波数リソース位置で少なくとも2つの物理ブロードキャストチャネルを送信し、端末デバイスは、少なくとも2つの時間周波数リソース位置の中の第1の時間周波数リソース位置および第2の時間周波数リソース位置で、それぞれ、対応する第1のブロードキャストチャネル上の第1のブロードキャストチャネル信号、および第2のブロードキャストチャネル信号を受信する。任意のブロードキャストチャネル信号はブロードキャスト情報を搬送し、ブロードキャスト情報は対応する時間周波数資源位置の時間オフセットを含む。第1のブロードキャスト情報内の第1の情報（すなわち、第1の時間周波数リソース位置の時間オフセット以外の情報）は、第2のブロードキャスト情報内の第2の情報（すなわち、第2の時間周波数リソース位置の時間オフセット以外の情報）と同じであると判断した後、端末デバイスは、前述の2つの時間周波数リソース位置間の時間オフセット差を特定し、時間オフセット差に基づいてスクランブリング符号系列を生成する。端末デバイスは、スクランブリング符号系列に基づいて第1のブロードキャストチャネル信号をスクランブル解除し、スクランブル解除された第1のブロードキャストチャネル信号、および事前設定された第2のスクランブリング符号系列に基づいてスクランブル解除された第2のブロードキャストチャネル信号に対してジョイント復号を実施して、第2のブロードキャスト情報を取得することができる。この場合、端末デバイスは正確なブロードキャスト情報を取得することができ、ブロードキャスト情報に含まれる時間周波数リソース位置の時間オフセットに基づいて無線フレームのフレームヘッダ位置を特定し、無線フレームの取得された正確なフレームヘッダ位置およびブロードキャスト情報で搬送された（システム情報などの）情報の各々に基づいて、ネットワークにアクセスすることができる。
【図面の簡単な説明】
【００５５】
【図１】従来技術によるブロードキャスト情報送信の概略図である。
【図２】本出願の一実施形態による、マルチビームワイヤレスアクセスシステムのアーキテクチャ図である。
【図３】本出願の一実施形態による、物理ブロードキャストチャネル送信方法のフローチャートである。
【図４】本出願の一実施形態による、基地局による物理ブロードキャストチャネルの送信の概略図である。
【図５】本出願の一実施形態による、物理ブロードキャストチャネル受信方法のフローチャートである。
【図６】本出願の一実施形態による、端末デバイスが差分シーケンスに基づいて第2のブロードキャスト情報を取得する手順の概略図である。
【図７Ａ】本出願の一実施形態による、物理ブロードキャストチャネル送信方法の例示的な図である。
【図７Ｂ】本出願の一実施形態による、物理ブロードキャストチャネル送信方法の例示的な図である。
【図８Ａ】本出願の一実施形態による、別の物理ブロードキャストチャネル送信方法の例示的な図である。
【図８Ｂ】本出願の一実施形態による、別の物理ブロードキャストチャネル送信方法の例示的な図である。
【図９】本出願の一実施形態による、基地局の構造図である。
【図１０】本出願の一実施形態による、端末デバイスの構造図である。
【図１１】本出願の一実施形態による、別の基地局の構造図である。
【図１２】本出願の一実施形態による、別の端末デバイスの構造図である。
【発明を実施するための形態】
【００５６】
本出願の目的、技術的解決策、および利点をより明確にするために、以下で、添付の図面を参照して、本出願を詳細にさらに記載する。明らかに、記載される実施形態は、本出願の実施形態のすべてではなく、いくつかにすぎない。創造的な努力なしに、本出願の実施形態に基づいて当業者によって取得されるすべての他の実施形態は、本出願の保護範囲内に入るべきである。
【００５７】
本出願の実施形態は、マルチビームワイヤレスアクセスシステムにおいて、複数のビームのブロードキャスト情報を受信するときに、端末デバイスがジョイント復号を実行して正確なブロードキャスト情報を取得することができず、結果として、端末デバイスが基地局から比較的離れているときに、端末デバイスがネットワークにアクセスすることができないという従来技術の問題を解決するために、物理ブロードキャストチャネルの送受信方法および装置を提供する。本出願の方法および装置は、同じ発明概念に基づいている。方法および装置は問題を解決するための同様の原理を有するので、装置の実装形態と方法の実装形態との間で相互参照が行われてもよい。繰り返される説明は提供されない。
【００５８】
本出願の実施形態では、マルチビームワイヤレスアクセスシステム内の基地局は、無線フレーム内の少なくとも2つの時間周波数リソース位置で少なくとも2つの物理ブロードキャストチャネルを送信し、端末デバイスは、少なくとも2つの時間周波数リソース位置の中の第1の時間周波数リソース位置および第2の時間周波数リソース位置で、それぞれ、対応する第1のブロードキャストチャネル上の第1のブロードキャストチャネル信号、および第2のブロードキャストチャネル信号を受信する。任意のブロードキャストチャネル信号はブロードキャスト情報を搬送し、ブロードキャスト情報は対応する時間周波数資源位置の時間オフセットを含む。第1のブロードキャスト情報内の第1の情報（すなわち、第1の時間周波数リソース位置の時間オフセット以外の情報）は、第2のブロードキャスト情報内の第2の情報（すなわち、第2の時間周波数リソース位置の時間オフセット以外の情報）と同じであると判断した後、端末デバイスは、前述の2つの時間周波数リソース位置間の時間オフセット差を特定し、時間オフセット差に基づいてスクランブリング符号系列を生成する。端末デバイスは、スクランブリング符号系列に基づいて第1のブロードキャストチャネル信号をスクランブル解除し、スクランブル解除された第1のブロードキャストチャネル信号、および事前設定された第2のスクランブリング符号系列に基づいてスクランブル解除された第2のブロードキャストチャネル信号に対してジョイント復号を実施して、第2のブロードキャスト情報を取得することができる。この場合、端末デバイスは正確なブロードキャスト情報を取得することができ、ブロードキャスト情報に含まれる時間周波数リソース位置の時間オフセットに基づいて無線フレームのフレームヘッダ位置を特定し、無線フレームの取得された正確なフレームヘッダ位置およびブロードキャスト情報で搬送された（システム情報などの）情報の各々に基づいて、ネットワークにアクセスすることができる。
【００５９】
当業者による理解を容易にするために、以下で、本出願におけるいくつかの用語を説明する。
【００６０】
（1）本出願の実施形態における基地局は、ワイヤレスネットワークに端末デバイスを接続するデバイスである。基地局は比較的大きい搬送波周波数範囲を有し、基地局は大量のアンテナアレイ素子を含むアンテナアレイを含む。基地局は、アンテナアレイ利得を取得するために、アンテナアレイを使用して複数の高指向性ビーム（指向性ビーム）を生成することができる。基地局は、発展型ノードB（evolved NodeB、eNB）、無線ネットワークコントローラ（radio network controller、RNC）、ノードB（NodeB、NB）、基地局コントローラ（Base Station Controller、BSC）、トランシーバ基地局（Base Transceiver Station、BTS）、ホームeノードB（Home evolved NodeBまたはHome NodeB、HNB）、ベースバンドユニット（BaseBand Unit、BBU）、およびアクセスポイント（Access Point、AP）を含んでもよいが、それらに限定されない。
【００６１】
（2）本出願の実施形態における端末デバイスは、ユーザ機器（User Equipment、UE）とも呼ばれ、音声および／またはデータ接続性をユーザに提供するデバイス、たとえば、ワイヤレス接続機能を有するハンドヘルドデバイス、携帯電話、車載デバイス、ウェアラブルデバイス、コンピューティングデバイス、もしくは移動局（Mobile Station、MS）、または無線モデムに接続された別の処理デバイスである。
【００６２】
（3）本出願の実施形態における無線フレーム内の時間周波数リソース位置の時間オフセットは、時間領域内の時間周波数リソース位置の時間位置と無線フレームのフレームヘッダ位置との間の時間間隔に関する情報である。時間オフセットの物理表現方式は、絶対時間（単位は秒、ミリ秒、マイクロ秒など）であってもよく、時間間隔を表すことができる物理量、たとえば、サブフレームの数、またはシンボル（たとえば、直交周波数分割多重（Orthogonal Frequency Division Multiplexing、OFDM）シンボル）の数であってもよい。このことは本出願では限定されない。たとえば、時間領域内の物理ブロードキャストチャネルに対応する時間周波数リソース位置の開始時間位置の絶対時間オフセットであり、無線フレームのフレームヘッダ位置に対する開始時間位置の絶対時間オフセットは、2つのサブフレームおよび4つのOFDMシンボルである。時間間隔に関する情報は、絶対時間オフセットを切り捨てることによって取得された値を含み、時間間隔に関する情報は、前述のケースの2つのサブフレームである。
【００６３】
（4）本出願の実施形態における「複数の」は、2つ以上を意味する。
【００６４】
（5）本出願の実施形態における「および／または」は、関連するオブジェクトの関連付け関係を記述するために使用され、3つの関係が存在してもよいことを示す。たとえば、Aおよび／またはBは、以下の3つのケースを表すことができる：Aのみが存在する、AとBの両方が存在する、およびBのみが存在する。文字「／」は、概して、関連するオブジェクト間の「または」関係を示す。
【００６５】
加えて、本出願の説明では、「第1の」および「第2の」という用語は、記述を区別する目的のみに使用され、相対的な重要性の指示または示唆として理解することができず、順番の指示または示唆として理解することができない。
【００６６】
本出願の実施形態における技術的解決策をより明確に記載するために、図2を参照して、以下で、本出願の実施形態における可能なマルチビームワイヤレスアクセスシステムを記載する。図2は、本出願の実施形態による、可能なマルチビームワイヤレスアクセスシステムのアーキテクチャを示す。マルチビームワイヤレスアクセスシステムは、基地局201および端末デバイス202を含む。
【００６７】
基地局201は、基地局201のアンテナアレイを使用して複数の高利得指向性ビームを生成することができる。場合によっては、基地局201は、基地局201の各セクタ内で複数のビームを送信することができる。基地局201は、無線フレームの時間周波数リソース位置で、各ビームを使用することによって物理的ブロードキャストチャネルを送信することができる。物理ブロードキャストチャネルはブロードキャスト情報を搬送し、ブロードキャスト情報はMIBなどのシステム情報を含む。端末デバイスが無線フレームのフレームヘッダ位置を特定できることを保証するために、ブロードキャスト情報は、時間周波数リソース位置の時間オフセットをさらに含む。
【００６８】
端末デバイス202は、基地局によって送信された物理ブロードキャストチャネル上のブロードキャストチャネル信号を受信し、ブロードキャストチャネル信号内のブロードキャスト情報を取得するように構成される。端末デバイス202は、ブロードキャスト情報内の時間周波数リソース位置の時間オフセットに基づいて無線フレームのフレームヘッダ位置を特定し、最後に、無線フレームのフレームヘッダ位置およびブロードキャスト情報に含まれるシステム情報に基づいてネットワークにアクセスする。
【００６９】
図2に示されたように、マルチビームワイヤレスアクセスシステムには、不均一なカバレージという問題が存在する。したがって、実際の適用例では、端末デバイス202について2つの物理ブロードキャストチャネルを受信するケースが存在する。
【００７０】
ケース1：端末デバイスが、ビーム（ビーム1）の強いカバレージ位置、たとえば、図の位置Aに位置している。
【００７１】
端末デバイス202は、無線フレームのビーム1の時間周波数リソース位置で物理ブロードキャストチャネル上のブロードキャストチャネル信号を受信し、物理ブロードキャストチャネルは、ビーム1を使用することにより、基地局201によって送信される。
【００７２】
ブロードキャストチャネル信号に対して復調、スクランブル解除、および復号などの処理を実行した後、端末デバイス202は、ブロードキャストチャネル信号で搬送されたブロードキャスト情報1を直接取得することができる。
【００７３】
端末デバイス202は、ブロードキャスト情報1に含まれる時間周波数リソース位置の時間オフセットを取得し、時間領域内の時間周波数リソース位置の時間位置（端末デバイス202が物理ブロードキャストチャネルを受信した時間位置）および時間周波数リソース位置の時間オフセットに基づいて、無線フレームのフレームヘッダ位置を取得することができる。
【００７４】
最後に、端末デバイス202は、無線フレームのフレームヘッダ位置およびブロードキャスト情報1に含まれるシステム情報に基づいて、ネットワークにアクセスすることができる。
【００７５】
ケース2：端末デバイスが、2つのビーム（ビーム1およびビーム2）の弱いカバレージ位置、たとえば、図の位置Bに位置している。この場合、ケース1のブロードキャスト情報に対して復調、スクランブル解除、および復号などの処理を実行した後、端末デバイスは、ブロードキャストチャネル信号に含まれる正確なブロードキャスト情報を取得することができない。
【００７６】
端末デバイス202は、無線フレームの時間周波数リソース位置1で対応する物理ブロードキャストチャネル1上のブロードキャストチャネル信号1を受信し、物理ブロードキャストチャネル1は、ビーム1を使用することにより、基地局201によって送信される。
【００７７】
端末デバイス202は、無線フレームの時間周波数リソース位置2で対応する物理ブロードキャストチャネル2上のブロードキャストチャネル信号2を受信し、物理ブロードキャストチャネル2は、ビーム2を使用することにより、基地局201によって送信される。
【００７８】
端末デバイス202が、それぞれ、ブロードキャストチャネル信号1およびブロードキャストチャネル信号2で搬送されたブロードキャスト情報1およびブロードキャスト情報2内で、対応する時間周波数リソース位置以外の情報が同じであると判断すると、端末デバイスは、ブロードキャストチャネル信号1のスクランブリング符号系列および／またはブロードキャストチャネル信号2のスクランブリング符号系列を生成する。詳細は以下の通りである。
【００７９】
端末デバイス202は、時間周波数リソース位置1と時間周波数リソース位置2との間の時間オフセット差を特定し、時間オフセット差（時間差）と差分シーケンスとの間の記憶された対応関係に基づいて、時間オフセット差に対応する差分シーケンスを特定する。
【００８０】
端末デバイス202は、差分シーケンスに基づいてスクランブリング符号系列を生成する。
【００８１】
端末デバイス202は、ブロードキャストチャネル信号1をスクランブル解除し、事前設定されたスクランブリング符号系列を使用してブロードキャストチャネル信号2をスクランブル解除する。
【００８２】
端末デバイス202は、2つのスクランブル解除されたブロードキャストチャネル信号に対してジョイント復号を実行して、ブロードキャスト情報2を生成する。
【００８３】
端末デバイス202は、ブロードキャスト情報2に含まれる時間周波数リソース位置2の時間オフセットを取得し、時間領域内の時間周波数リソース位置2の時間位置（端末デバイス202が物理ブロードキャストチャネル2を受信した時間位置）および時間周波数リソース位置2の時間オフセットに基づいて、無線フレームのフレームヘッダ位置を取得することができる。
【００８４】
最後に、端末デバイス202は、無線フレームのフレームヘッダ位置およびブロードキャスト情報2に含まれるシステム情報に基づいて、ネットワークにアクセスすることができる。
【００８５】
端末デバイス202は、同じ原理に基づいてブロードキャスト情報1を生成することができる。具体的な方法ステップについては、前述のステップを参照されたい。詳細は本明細書では再び記載されない。
【００８６】
前述のステップを使用することにより、端末デバイス202は、2つのブロードキャストチャネル信号で搬送された時間周波数リソース位置の時間オフセットが異なり、他の情報が同じであるとき、2つのブロードキャストチャネル信号を別々にスクランブル解除して、2つのブロードキャストチャネル信号に対してジョイント復号を実施し、システム情報およびブロードキャストチャネル信号のうちのいずれかにおける時間周波数リソース位置の時間オフセットを取得し、時間周波数リソース位置の取得された時間オフセットに基づいて無線フレームのフレームヘッダ位置を取得することができる。最後に、端末デバイス202は、無線フレームのフレームヘッダ位置およびブロードキャスト情報内の取得されたシステム情報に基づいて、ネットワークにアクセスすることができる。
【００８７】
図3を参照すると、本出願の一実施形態は物理ブロードキャストチャネル送信方法を提供し、方法は図2に示されたマルチビームワイヤレスアクセスシステムに適用される。方法の処理手順は以下のステップを含む。
【００８８】
ステップ301：基地局が、無線フレーム内の少なくとも2つの時間周波数リソース位置で少なくとも2つの物理ブロードキャストチャネルを送信し、1つの時間周波数リソース位置は1つの物理ブロードキャストチャネルに対応し、物理ブロードキャストチャネルはブロードキャスト情報を搬送し、ブロードキャスト情報は、物理ブロードキャストチャネルに対応する時間周波数リソース位置の時間オフセットを含み、物理ブロードキャストチャネルに対応する時間周波数リソース位置の時間オフセットは、時間領域内の物理ブロードキャストチャネルに対応する時間周波数リソース位置の時間位置と、無線フレームのフレームヘッダ位置との間の時間間隔に関する情報であり、少なくとも2つの物理ブロードキャストチャネル上で搬送されたブロードキャスト情報に含まれる時間周波数リソース位置の時間オフセットは異なる。
【００８９】
基地局はビームを使用して物理ブロードキャストチャネルを送信するので、基地局によって送信される物理ブロードキャストチャネルの数は、基地局によって生成されるビームの数と同じである。時間周波数リソース位置は物理的ブロードキャストチャネルと1対1の対応関係にあるので、基地局によって送信される物理的ブロードキャストチャネルの数は、基地局が物理ブロードキャストチャネルを送信するときに占有される1つの無線フレーム内の時間周波数リソース位置の数と同じである。
【００９０】
たとえば、基地局によって生成された複数のビームが第1のビームおよび第2のビームを含むとき、図4を参照すると、基地局は、第1のビームを使用して第1の時間周波数リソース位置で物理ブロードキャストチャネルを送信し、基地局は、第2のビームを使用して第2の時間周波数リソース位置で物理的ブロードキャストチャネルを送信する。
【００９１】
端末デバイスは、受信された同期信号に基づいて無線フレームのフレームヘッダ位置を特定することができない。端末デバイスが無線フレームのフレームヘッダ位置を正確に特定できることを保証するために、基地局によって送信された各物理ブロードキャストチャネル上で搬送されたブロードキャスト情報は、物理ブロードキャストチャネルによって占有された時間周波数リソース位置の時間オフセットを含む。この場合、物理ブロードキャストチャネルのブロードキャストチャネル信号を受信した後、端末デバイスは、物理ブロードキャストチャネルによって占有された時間周波数リソース位置の時間オフセットを使用することにより、無線フレームのフレームヘッダ位置を特定することができる。一例として図4がまた使用される。第1の時間周波数リソース位置で基地局によって送信された物理ブロードキャストチャネル上で搬送されたブロードキャスト情報は、第1の時間周波数リソース位置の時間オフセットを含む。
【００９２】
従来のブロードキャスト情報はシステム情報を含み、従来のブロードキャスト情報のビット列長はLである。本出願のこの実施形態では、ブロードキャスト情報は時間周波数リソース位置の時間オフセットを含む。したがって、ブロードキャスト情報のビット列長はL＋Mであり、Mは時間周波数リソース位置の時間オフセットのビット列長である。
【００９３】
場合によっては、ブロードキャスト情報内で、時間周波数リソース位置の時間オフセットのビット列は、ブロードキャスト情報のビット列の開始位置または終了位置にあってもよく、ブロードキャスト情報のビット列の指定された位置にあってもよい。このことは本出願では限定されない。
【００９４】
具体的には、基地局がステップ301を実行するとき、以下のステップが含まれる。
【００９５】
基地局は、少なくとも2つの物理ブロードキャストチャネル上で搬送されたブロードキャスト情報に対して、同じ方式で、巡回冗長検査（Cyclic Redundancy Check、CRC）符号の付加、チャネル符号化、スクランブリング、および変調を実行して、少なくとも2つの対応するブロードキャストチャネル信号を生成する。
【００９６】
基地局は、少なくとも2つの物理ブロードキャストチャネルの各々で、物理ブロードキャストチャネル上で搬送されたブロードキャスト情報に対応するブロードキャストチャネル信号を送信する。
【００９７】
基地局がCRCを付加する実装形態は、長さがLである既存のビット列に、ビット列をチェックするために使用されるK個のチェックビットを追加することと、最後に長さがL＋M＋Kであるビット列を生成することとを含む。K個のチェックビットは、長さがLであるビット列に基づいて生成される。
【００９８】
基地局がチャネル符号化を実行する実装形態は、ロングタームエボリューション（Long Term Evolution、LTE）技術におけるテールバイティング畳み込み符号（Tail−biting convolutional code）を含む。
【００９９】
基地局が変調を実行する実装形態は、直交位相シフトキーイング（Quadrature Phase Shift Keying、QPSK）変調を含む。
【０１００】
基地局は、複数の事前設定されたスクランブリング符号系列を使用して、複数のブロードキャスト情報をスクランブルする。
【０１０１】
ステップ302：基地局が、少なくとも2つの物理ブロードキャストチャネル用の指示情報を送信し、指示情報は、時間周波数リソース位置の時間オフセット以外の情報が、少なくとも2つの物理的ブロードキャストチャネル上で搬送されたブロードキャスト情報内で同じであることを、端末デバイスに通知するために使用される。
【０１０２】
指示情報はさらに、時間周波数リソース位置の時間オフセット以外の情報が、受信された2つの物理ブロードキャストチャネル上で搬送されたブロードキャスト情報内で異なることを、端末デバイスに通知するために使用されてもよい。
【０１０３】
物理ブロードキャストチャネルは、時間周波数リソース位置と1対1の対応関係にある。したがって、基地局が複数の物理ブロードキャストチャネルを送信するとき、任意の2つの物理ブロードキャストチャネル上で搬送されたブロードキャスト情報内の時間周波数リソース位置の時間オフセットは異なる。しかしながら、時間オフセット以外の（システム情報などの）情報は、いくつかの物理的ブロードキャストチャネル上で搬送されたブロードキャスト情報内で同じであってもよい。
【０１０４】
2つの物理ブロードキャストチャネル上で搬送されたブロードキャスト情報が同じ時間単位に位置するとき、時間オフセット以外の情報は、2つの物理ブロードキャストチャネル上で搬送されたブロードキャスト情報内で同じである。たとえば、ブロードキャスト情報は無線フレームに関する情報を含み、無線フレームに関する情報は40msの期間内で変化しないままである。しかしながら、無線フレームに関する情報は40msの間隔で変化する。この場合、1つの時間単位（40msの期間）におけるブロードキャスト情報内の時間オフセット以外の情報は同じであり、異なる時間単位におけるブロードキャスト情報内の時間オフセット以外の情報は異なる。
【０１０５】
端末デバイスは、弱いカバレージ位置で複数の物理ブロードキャストチャネルのブロードキャストチャネル信号を受信することができる。正確なブロードキャスト情報を取得するために、端末デバイスは、同じ情報を含むブロードキャスト情報を搬送するブロードキャストチャネル信号に対してジョイント復号を実行する（具体的には、複数のブロードキャストチャネル信号に対してソフト結合処理を実行する）必要がある。たとえば、ジョイント復号は、Chase結合（Chase Combining）方法または別の方法を使用して実現されてもよい。ジョイント復号方法は、本出願のこの実施形態では限定されない。複数の物理ブロードキャストチャネルのブロードキャストチャネル信号を受信した後に、弱いカバレージ位置にある端末デバイスが、複数の受信されたブロードキャストチャネル信号に対してジョイント復号を実行して、ブロードキャストチャネル信号のうちの1つで搬送された正確なブロードキャスト情報を取得できることを保証するために、端末デバイスは、複数の受信されたブロードキャストチャネル信号で搬送されたブロードキャスト情報が同じ情報を含むと判断する必要があることを、前述の説明から得ることができる。場合によっては、端末デバイスは、基地局によって送信された物理ブロードキャストチャネルの指示情報を使用することにより、前述のケースを判断する。
【０１０６】
場合によっては、基地局が少なくとも2つの物理ブロードキャストチャネル用の指示情報を送信することは、
基地局により、少なくとも2つの同期信号を送信することであって、任意の同期信号が少なくとも2つの物理ブロードキャストチャネルのうちの少なくとも1つに対応し、少なくとも2つの同期信号で搬送された同期信号列が、少なくとも2つの物理ブロードキャストチャネルの指示情報を含む、送信すること
を含む。
【０１０７】
一例として図4がまた使用される。第1のビームを使用して送信された物理ブロードキャストチャネルの指示情報、および第2のビームを使用して送信された物理ブロードキャストチャネルの指示情報は、第1のビームを使用して送信された同期シーケンスおよび／または第2のビームを使用して送信された同期シーケンスに含まれてもよい。
【０１０８】
前述の方法を使用することにより、基地局は、基地局と端末デバイスとの間のシグナリング相互作用の増大を回避するために、同期信号を使用して物理ブロードキャストチャネルの指示情報を送信する。
【０１０９】
場合によっては、指示情報は、少なくとも2つの同期信号で搬送された同期信号列である。
【０１１０】
前述の方式を使用すると、同期信号の同期信号列を追加することを回避し、基地局が同期信号を送信するオーバーヘッドの増大を回避することができる。
【０１１１】
基地局によって送信された2つの物理ブロードキャストチャネルの同期信号の同期信号列が同じであるとき、2つの物理ブロードキャストチャネルの指示情報（すなわち、2つの同期信号の同期信号列）は、時間周波数リソース位置の時間オフセット以外の情報が、2つの物理ブロードキャストチャネル上のブロードキャストチャネル信号で搬送されたブロードキャスト情報内で同じであることを、端末デバイスに通知するために使用されてもよい。前述の2つの同期信号は、端末デバイスのサービングセル識別子を示す情報をさらに含むので、前述の2つの同期信号で搬送されたサービングセル識別子に関する情報も同じである。
【０１１２】
場合によっては、少なくとも2つの時間周波数リソース位置のうちのいずれか1つの時間オフセットと、別の時間周波数リソース位置の時間オフセットとの間の差（すなわち、本質的に時間差である、時間領域内の前述の2つの時間周波数リソース位置間の時間オフセット差）は、1つの固有の差分シーケンスに対応する。しかしながら、同じ差分シーケンスが1つまたは複数の時間差に対応してもよい。
【０１１３】
たとえば、時間周波数リソース位置1の時間オフセットと時間周波数リソース位置2の時間オフセットとの間の差（時間差）は、以下の可能なケース：｛1つのサブフレーム、2つのサブフレーム、3つのサブフレーム｝を含む。
【０１１４】
異なる時間差が各々固有の差分シーケンスに対応するとき、時間差と差分シーケンスとの間の対応関係が表1に示される。
【０１１５】
【表１】
2019526964.tif 000003
【０１１６】
同じ差分シーケンスが複数の時間差に対応してもよいとき、時間差と差分シーケンスとの間の対応関係が表2に示される。
【０１１７】
【表２】
2019526964.tif 000004
【０１１８】
場合によっては、差分シーケンスと前述の2つの時間周波数リソース位置の時間オフセットのビット列との間に線形関係が存在する。前述の2つの時間周波数リソース位置の時間オフセットのビット列は、前述の2つの時間周波数リソース位置で物理ブロードキャストチャネル上で搬送されたブロードキャスト情報内のビット列である。
【０１１９】
差分シーケンスはスクランブリング符号系列を生成するために使用される。端末デバイスが、受信された第1のブロードキャストチャネル信号で搬送された第1のブロードキャスト情報および受信された第2のブロードキャストチャネル信号で搬送された第2のブロードキャスト情報の中で、時間周波数リソース位置の時間オフセット以外の情報が同じであると判断すると、端末デバイスは、時間領域内で、第1のブロードキャストチャネル信号が受信された第1の時間周波数リソース位置と、第2のブロードキャストチャネル信号が受信された第2の時間周波数リソース位置との間の時間オフセット差を使用して差分シーケンスを特定し、差分シーケンスを使用してスクランブリング符号系列を取得することができる。最後に、端末デバイスは、スクランブル解除された第1のブロードキャストチャネル信号で搬送された情報が、事前設定された第2のスクランブリング符号系列を使用してスクランブル解除された第2のブロードキャストチャネル信号で搬送された情報と同じであるように、第1のブロードキャストチャネル信号をスクランブル解除して、ジョイント復号を実施し、第2のブロードキャスト情報を取得することができる。
【０１２０】
端末デバイスは時間差と差分シーケンスとの間の対応関係を維持し、その結果、対応する差分シーケンスは、時間領域内の2つの時間周波数リソース位置間の時間オフセット差に基づいて取得されてもよく、スクランブリング符号系列が取得されてもよいことが、前述の説明から分かる。
【０１２１】
本出願の前述の実施形態における物理ブロードキャストチャネル送信方法を使用することにより、基地局は、無線フレーム内の少なくとも2つの時間周波数リソース位置で少なくとも2つの物理ブロードキャストチャネルを送信し、少なくとも2つの物理ブロードキャストチャネル用の指示情報を送信する。この場合、2つの物理ブロードキャストチャネル上のブロードキャストチャネル信号を受信した後、端末デバイスは、2つの物理ブロードキャストチャネルの指示情報に基づいて、時間周波数リソース位置の時間オフセット以外の情報が、2つのブロードキャストチャネル信号で搬送されたブロードキャスト情報内で同じであると判断して、2つのブロードキャストチャネル信号に対してジョイント復号をさらに実施し、ブロードキャストチャネル信号のうちの1つで搬送されたブロードキャスト情報を取得することができる。
【０１２２】
本出願は、物理ブロードキャストチャネル受信方法をさらに提供し、方法は図2に示されたマルチビームワイヤレスアクセスシステムに適用される。端末デバイスは、弱いカバレージ位置（図2の位置B）にある。図5を参照すると、方法の処理手順は以下のステップを含む。
【０１２３】
ステップ501：端末デバイスが、無線フレーム内の第1の時間周波数リソース位置で対応する第1の物理ブロードキャストチャネル上の第1のブロードキャストチャネル信号を受信し、第2の時間周波数リソース位置で対応する第2の物理ブロードキャストチャネル上の第2のブロードキャストチャネル信号を受信し、第1のブロードキャストチャネル信号は第1のブロードキャスト情報を搬送し、第1のブロードキャスト情報は第1の時間周波数リソース位置の時間オフセットを含み、第2のブロードキャストチャネル信号は第2のブロードキャスト情報を搬送し、第2のブロードキャスト情報は第2の時間周波数リソース位置の時間オフセットを含み、任意の時間周波数リソース位置の時間オフセットは、時間領域内の時間周波数リソース位置の時間位置と無線フレームのフレームヘッダ位置との間の時間間隔に関する情報である。
【０１２４】
端末デバイスは弱いカバレージ位置にあるので、基地局が無線フレーム内の複数の時間周波数リソース位置で複数の物理ブロードキャストチャネルを送信すると、端末デバイスは、基地局によって送信された複数の物理ブロードキャストチャネルのブロードキャストチャネル信号を受信することができる。本出願のこの実施形態では、端末デバイスが2つの物理ブロードキャストチャネルのブロードキャストチャネル信号を受信する例のみが説明に使用される。
【０１２５】
ステップ502：端末デバイスが、第1のブロードキャスト情報内の第1の情報が第2のブロードキャスト情報内の第2の情報と同じであると判断し、第1の情報は、第1のブロードキャスト情報内の第1の時間周波数リソース位置の時間オフセット以外の情報であり、第2の情報は、第2のブロードキャスト情報内の第2の時間周波数リソース位置の時間オフセット以外の情報である。
【０１２６】
ステップ502を実行した後、端末デバイスは、その後、2つのブロードキャストチャネル信号を別々にスクランブル解除し、2つのスクランブル解除されたブロードキャストチャネル信号に対してジョイント復号を実行して、ブロードキャストチャネル信号のうちの1つで搬送されたブロードキャスト情報を取得することができる。
【０１２７】
場合によっては、端末デバイスは、以下の2つの方式で、第1の情報が第2の情報と同じであると判断することができる。
【０１２８】
方式1：マルチビームワイヤレスアクセスシステム内の基地局が、図3に示されたこの実施形態の方法を使用して、第1の物理ブロードキャストチャネルおよび第2の物理ブロードキャストチャネルの指示情報を送信すると、端末デバイスが、第1の物理ブロードキャストチャネルおよび第2の物理ブロードキャストチャネルの指示情報を取得し、指示情報に基づいて、第1の情報が第2の情報と同じであると判断する。
【０１２９】
方式2：マルチビームワイヤレスアクセスシステム内の基地局が、第1の物理ブロードキャストチャネルおよび第2の物理ブロードキャストチャネルをスクランブルするために使用される事前設定されたスクランブリング符号系列を使用して、第1の情報が第2の情報と同じであることを示すと、端末デバイスが、複数の事前設定されたスクランブリング符号系列から、第1のブロードキャストチャネル信号の第1のスクランブリング符号系列および第2のブロードキャストチャネル信号の第2のスクランブリング符号系列を決定し、第1のスクランブリング符号系列および第2のスクランブリング符号系列に基づいて、第1の情報が第2の情報と同じであると判断する。端末デバイスによって記憶された複数の事前設定されたスクランブリング符号系列は、複数の物理ブロードキャストチャネルをスクランブルするために基地局によって使用されるスクランブリング符号系列である。
【０１３０】
場合によっては、基地局は、基地局が前述の指示方式のうちの1つを使用する（同期信号を使用して、またはスクランブリング符号系列を使用して指示を実行する）ときを端末デバイスに通知し、その結果、端末デバイスは、前述の指示方式で、第1の情報が第2の情報と同じであると判断することができる。
【０１３１】
場合によっては、方式1において、端末デバイスが指示情報を取得することは、
端末デバイスにより、第1の物理ブロードキャストチャネルに対応する第1の同期信号および第2の物理ブロードキャストチャネルに対応する第2の同期信号を受信し、第1の同期信号および第2の同期信号で搬送された同期信号列に含まれる指示情報を取得すること
を含む。
【０１３２】
場合によっては、端末デバイスが、指示情報に基づいて、第1の情報が第2の情報と同じであると判断することは、
指示情報が指定されたシーケンスであると判断すると、端末デバイスにより、第1の情報が第2の情報と同じであると判断すること
を含む。
【０１３３】
場合によっては、指示情報は、第1の同期信号および第2の同期信号で搬送された同期信号列であり、
端末デバイスが、指示情報に基づいて、第1の情報が第2の情報と同じであると判断することは、
指示情報内で、第1の同期信号で搬送された同期信号列が第2の同期信号で搬送された同期信号列と同じであると判断すると、端末デバイスにより、第1の情報が第2の情報と同じであると判断すること
を含む。
【０１３４】
場合によっては、方式2において、端末デバイスが、第1のスクランブリング符号系列および第2のスクランブリング符号系列に基づいて、第1の情報が第2の情報と同じであると判断することは、
第1のスクランブリング符号系列が第2のスクランブリング符号系列と同じであると判断すると、端末デバイスにより、第1の情報が第2の情報と同じであると判断すること
を含む。
【０１３５】
ステップ502およびステップ501の実行順序は、本出願のこの実施形態では限定されないことに留意されたい。たとえば、方式1において、（図4に示されたように）端末デバイスが最初に同期信号を受信し、次いで物理ブロードキャストチャネル上のブロードキャストチャネル信号を受信するので、第1の情報が第2の情報と同じであると端末デバイスが判断すると、端末デバイスはステップ501の前にステップ502を実行してもよい。方式2において、第1の情報が第2の情報と同じであると端末デバイスが判断すると、端末デバイスはステップ502の前にステップ501を実行してもよい。
【０１３６】
ステップ503：端末デバイスが、時間領域内の第1の時間周波数リソース位置と第2の時間周波数リソース位置との間の時間オフセット差を特定し、時間オフセット差に対応する差分シーケンスを取得し、差分シーケンスに基づいてスクランブリング符号系列を生成し、1つの時間オフセット差は1つの固有の差分シーケンスに対応する。
【０１３７】
図3に示された実施形態における差分シーケンスの説明から、端末デバイスは（時間オフセット差と呼ばれる場合もある）時間差と差分シーケンスとの間の対応関係を維持し、その結果、時間領域内の第1の時間周波数リソース位置と第2の時間周波数リソース位置との間の時間オフセット差が取得された後、時間オフセット差に対応する差分シーケンスは、スクランブリング符号系列を生成するために、時間差と差分シーケンスとの間の対応関係に基づいて取得されてもよいことが分かる。
【０１３８】
差分シーケンスと以下の2つ：第1のブロードキャスト情報内の第1の時間周波数リソース位置の時間オフセットのビット列および第2のブロードキャスト情報内の第2の時間周波数リソース位置の時間オフセットのビット列との間には線形関係が存在するので、場合によっては、差分シーケンスのビット列長は、第1／第2の時間周波数リソース位置の時間オフセットのビット列長と同じである。したがって、生成されたスクランブリング符号系列が第1のブロードキャストチャネル信号をスクランブル解除するために使用され得ることを保証するために、端末デバイスは差分シーケンスにシーケンスを追加する必要があり、生成されたスクランブリング符号系列のビット列長は第1のブロードキャスト情報のビット列長に等しい。場合によっては、追加シーケンスの位置は、第1のブロードキャスト情報のビット列内の第1の時間周波数リソース位置の時間オフセットのビット列の位置に基づいて決定される。結論として、シーケンスが追加された後に取得された差分シーケンス内の元の差分シーケンスの位置が、第1のブロードキャスト情報のビット列内の第1の時間周波数リソース位置の時間オフセットのビット列の位置と同じであることが保証される必要がある。
【０１３９】
場合によっては、各追加シーケンスのビット値は固定され、具体的には、0または1である。
【０１４０】
シーケンスが追加された後に取得された（第1のシーケンスと呼ばれる）差分シーケンスを生成した後、端末デバイスは、第1のシーケンスに対してCRCの付加またはチャネル符号化などの処理を実行し、処理された第1のシーケンスおよび第1のブロードキャストチャネル信号の事前設定された第1のスクランブリング符号系列を参照して、スクランブリング符号系列を生成する。
【０１４１】
ステップ504：端末デバイスが、スクランブリング符号系列に基づいて第1のブロードキャストチャネル信号をスクランブル解除し、第2のブロードキャストチャネル信号の事前設定された第2のスクランブリング符号系列に基づいて第2のブロードキャストチャネル信号をスクランブル解除し、スクランブル解除された第1のブロードキャストチャネル信号およびスクランブル解除された第2のブロードキャストチャネル信号に対してジョイント復号を実行して、第2のブロードキャスト情報を取得する。
【０１４２】
ステップ504を使用することにより、端末デバイスは、端末デバイスがその後に第2のブロードキャスト情報に含まれる第2の時間周波数リソース位置の時間オフセットを取得し、最後に第2の時間周波数リソース位置の時間オフセットに基づいて無線フレームのフレームヘッダ位置を特定することができることを保証するために、正確な第2のブロードキャスト情報を取得することができる。
【０１４３】
端末デバイスによってステップ503およびステップ504を実行する具体的な手順が図6に示されている。
【０１４４】
場合によっては、ステップ504の後に、端末デバイスが、第2のブロードキャスト情報に含まれる第2の時間周波数リソース位置の時間オフセットを取得し、
端末デバイスが、時間領域内の第2の時間周波数リソース位置の時間位置、および第2の時間周波数リソース位置の取得された時間オフセットに基づいて、無線フレームのフレームヘッダ位置を特定する。
【０１４５】
端末デバイスが無線フレームのフレームヘッダ位置を特定することは、
端末デバイスにより、時間領域内の第2の時間周波数リソース位置の時間位置（第2のブロードキャストチャネル信号が受信された時間位置）から、第2の時間周波数リソース位置の時間オフセットを減算して、無線フレームのフレームヘッダ位置を取得すること
を含む。
【０１４６】
前述のステップを使用することにより、端末デバイスは、無線フレームの正確なフレームヘッダ位置を取得して、ネットワークにアクセスすることができる。
【０１４７】
本出願のこの実施形態で提供される物理ブロードキャストチャネル受信方法を使用することにより、端末デバイスは、少なくとも2つの時間周波数リソース位置の中の第1の時間周波数リソース位置および第2の時間周波数リソース位置で、それぞれ、対応する第1のブロードキャストチャネル上の第1のブロードキャストチャネル信号、および第2のブロードキャストチャネル信号を受信する。任意のブロードキャストチャネル信号はブロードキャスト情報を搬送し、ブロードキャスト情報は対応する時間周波数資源位置の時間オフセットを含む。第1のブロードキャスト情報内の第1の情報（すなわち、第1の時間周波数リソース位置の時間オフセット以外の情報）は、第2のブロードキャスト情報内の第2の情報（すなわち、第2の時間周波数リソース位置の時間オフセット以外の情報）と同じであると判断した後、端末デバイスは、前述の2つの時間周波数リソース位置間の時間オフセット差を特定し、時間オフセット差に基づいてスクランブリング符号系列を生成する。端末デバイスは、スクランブリング符号系列に基づいて第1のブロードキャストチャネル信号をスクランブル解除し、スクランブル解除された第1のブロードキャストチャネル信号、および事前設定された第2のスクランブリング符号系列に基づいてスクランブル解除された第2のブロードキャストチャネル信号に対してジョイント復号を実施して、第2のブロードキャスト情報を取得することができる。この場合、端末デバイスは正確なブロードキャスト情報を取得することができ、ブロードキャスト情報に含まれる時間周波数リソース位置の時間オフセットに基づいて無線フレームのフレームヘッダ位置を特定し、無線フレームの取得された正確なフレームヘッダ位置およびブロードキャスト情報で搬送された（システム情報などの）情報の各々に基づいて、ネットワークにアクセスすることができる。
【０１４８】
前述の実施形態に基づいて、本出願は物理ブロードキャストチャネル送信方法の一例をさらに提供し、その例は、図2に示されたマルチビームワイヤレスアクセスシステムに適用可能である。この例では、端末デバイスは、基地局によって送信された同期信号を使用することにより、時間周波数リソース位置の時間オフセット以外の情報が、少なくとも2つの物理ブロードキャストチャネル上で搬送されたブロードキャスト情報内で同じであることを示す。図7Aおよび図7Bを参照すると、具体的な手順は以下のステップを含む。
【０１４９】
ステップ701：基地局が、無線フレーム内の複数の時間周波数リソース位置で、複数の物理ブロードキャストチャネルに対応する複数の同期信号を送信し、複数の同期信号で搬送された同期信号列は、複数の物理ブロードキャストチャネルの指示情報である。
【０１５０】
同期信号は物理ブロードキャストチャネルと1対1の対応関係にある。指示情報は、少なくとも2つの物理ブロードキャストチャネルのブロードキャストチャネル信号が受信されたときに、時間周波数リソース位置の時間オフセット以外の情報が、少なくとも2つのブロードキャストチャネル信号で搬送されたブロードキャスト情報内で同じであるかどうかを、端末デバイスに通知するために使用される。
【０１５１】
指定された時間単位内に同期信号で搬送される同期信号列は同じであり、2つの隣接する時間単位内に同期信号で搬送される同期信号列は異なる。時間単位は、少なくとも1つのサブフレームまたは少なくとも1つの無線フレームであってもよい。たとえば、時間単位が1つの無線フレームである場合、奇数番号の時間単位内に同期信号で搬送される同期信号列は第1の同期信号列であり、偶数番号の時間単位内に同期信号で搬送される同期信号列は第2の同期信号列である。したがって、同期信号で搬送される同期信号列は、現在の時間単位が奇数番号の時間単位であるか偶数番号の時間単位であるかを示すことができる。指定された時間単位内に同期信号で搬送される同期信号列は同じであり、奇数番号の時間単位または偶数番号の時間単位内の任意の2つのブロードキャスト情報内の時間周波数リソース位置の時間オフセット以外の情報が同じであることを示す。
【０１５２】
ステップ702：端末デバイスが、複数の同期信号の中の第1の物理ブロードキャストチャネルに対応する第1の同期信号および第2の物理ブロードキャストチャネルに対応する第2の同期信号を受信し、第1の同期信号および第2の同期信号で搬送された同期信号列が、第1の物理ブロードキャストチャネルおよび第2の物理ブロードキャストチャネルの指示情報であると判断し、指示情報に基づいて、第1のブロードキャスト情報内の第1の情報が第2のブロードキャスト情報内の第2の情報と同じであると判断する。
【０１５３】
第1のブロードキャスト情報は、第1の物理ブロードキャストチャネルの第1のブロードキャストチャネル信号で搬送され、第2のブロードキャスト情報は、第2の物理ブロードキャストチャネルの第2のブロードキャストチャネル信号で搬送される。
【０１５４】
第1の情報は、第1のブロードキャスト情報内の第1の物理ブロードキャストチャネルによって占有された第1の時間周波数リソース位置の時間オフセット以外の情報であり、第2の情報は、第2のブロードキャスト情報内の第2の物理ブロードキャストチャネルによって占有された第2の時間周波数リソース位置の時間オフセット以外の情報である。
【０１５５】
指示情報に基づいて、第1のブロードキャスト情報内の第1の情報が第2のブロードキャスト情報内の第2の情報と同じであると判断することは、
指示情報内で、第1の同期信号で搬送された同期信号列が第2の同期信号で搬送された同期信号列が同じであると判断すると、端末デバイスにより、第1の情報が第2の情報と同じであると判断すること
を含む。
【０１５６】
端末デバイスは、同期信号列に基づいて、受信された第1の物理ブロードキャストチャネルに対応する時間周波数リソース位置、および受信された第2の物理ブロードキャストチャネルに対応する時間周波数リソース位置が、同じ時間単位内に位置するかどうかを判定する。同期信号列に基づいて、第1の物理ブロードキャストチャネルおよび第2の物理ブロードキャストチャネルが同じ時間単位内に位置すると判定した場合、端末デバイスは、第1の情報が第2の情報と同じであると判断することができる。
【０１５７】
この例では、ステップ702の実行順序は限定されず、ステップ702がステップ701の後でステップ705の前に実行されることを保証するだけでよい。
【０１５８】
ステップ703：基地局が、同じ方式で、複数のブロードキャスト情報に対してCRCの付加、チャネル符号化、スクランブリング、および変調を実行して、複数の対応するブロードキャストチャネル信号を生成する。
【０１５９】
基地局は、複数の事前設定されたスクランブリング符号系列を使用して複数のブロードキャスト情報をスクランブルし、複数の事前設定されたスクランブリング符号系列を端末デバイスに送信する。
【０１６０】
ステップ704：基地局が、無線フレーム内の複数の時間周波数リソース位置で、複数の物理ブロードキャストチャネルを使用して複数のブロードキャスト情報を送信する（言い換えれば、基地局が複数の物理ブロードキャストチャネルを送信する）。ブロードキャスト情報の各々は対応するブロードキャスト情報を搬送する。
【０１６１】
ステップ705：複数の時間周波数リソース位置の中の第1の時間周波数リソース位置で対応する第1の物理ブロードキャストチャネル上の第1のブロードキャストチャネル信号を受信し、第2の時間周波数リソース位置で対応する第2の物理ブロードキャストチャネル上の第2のブロードキャストチャネル信号を受信した後に、端末デバイスが、時間領域内で第1の物理ブロードキャストチャネルによって占有された第1の時間周波数リソース位置と第2の時間周波数リソース位置との間の時間オフセット差を特定し、時間オフセット差に対応する差分シーケンスを取得し、差分シーケンスに基づいてスクランブリング符号系列を生成する。
【０１６２】
端末デバイスは、時間差と差分シーケンスとの間の対応関係を維持する。したがって、時間オフセット差を取得した後、端末デバイスは、時間差と差分シーケンスとの間の対応関係に基づいて、時間オフセット差に対応する差分シーケンスを取得して、スクランブリング符号系列を生成することができる。
【０１６３】
この例では、端末デバイスが差分シーケンスに基づいてスクランブリング符号系列を生成する具体的な処理については、前述の実施形態を参照されたい。詳細は本明細書では再び記載されない。
【０１６４】
ステップ706：端末デバイスが、スクランブリング符号系列に基づいて受信された第1のブロードキャストチャネル信号をスクランブル解除し、第2のブロードキャストチャネル信号の事前設定された第2のスクランブリング符号系列に基づいて第2のブロードキャストチャネル信号をスクランブル解除する。
【０１６５】
第2のスクランブリング符号系列は、基地局によって端末デバイスに送信される。
【０１６６】
ステップ706では、端末デバイスは第1のブロードキャストチャネル信号をスクランブル解除し、その結果、スクランブル解除された第1のブロードキャストチャネル信号で搬送された情報が、事前設定された第2のスクランブリング符号系列を使用してスクランブル解除された第2のブロードキャストチャネル信号で搬送された情報と同じであるとき、第2のブロードキャスト情報を取得するためにジョイント復号が実施される。
【０１６７】
ステップ707：端末デバイスが、スクランブル解除された第1のブロードキャストチャネル信号およびスクランブル解除された第2のブロードキャストチャネル信号に対してジョイント復号を実行して、第2のブロードキャスト情報を取得する。
【０１６８】
ステップ708：端末デバイスが、第2のブロードキャスト情報に含まれる第2の時間周波数リソース位置の時間オフセットを取得し、時間領域内の第2の時間周波数リソース位置の時間位置、および第2の時間周波数リソース位置の時間オフセットに基づいて、無線フレームのフレームヘッダ位置を特定する。
【０１６９】
端末デバイスが、時間領域内の第2の時間周波数リソース位置の時間位置（第2のブロードキャストチャネル信号が受信された時間位置）から、第2の時間周波数リソース位置の時間オフセットを減算して、無線フレームのフレームヘッダ位置を取得する。
【０１７０】
ステップ709：端末デバイスが、無線フレームのフレームヘッダ位置および第2のブロードキャスト情報で搬送されたシステム情報に基づいてネットワークにアクセスする。
【０１７１】
前述の実施形態に基づいて、本出願は物理ブロードキャストチャネル送信方法の一例をさらに提供し、その例は、図2に示されたマルチビームワイヤレスアクセスシステムに適用可能である。この例では、端末デバイスは、少なくとも2つの物理ブロードキャストチャネル上のブロードキャストチャネル信号の事前設定されたスクランブリング符号系列を使用して、時間周波数リソース位置の時間オフセット以外の情報が、少なくとも2つのブロードキャストチャネルのブロードキャストチャネル信号で搬送されたブロードキャスト情報内で同じであると判断する。図8Aおよび図8Bを参照すると、具体的な手順は以下のステップを含む。
【０１７２】
ステップ801：基地局が、無線フレーム内の複数の時間周波数リソース位置で、複数の物理ブロードキャストチャネルに対応する複数の同期信号を送信する。
【０１７３】
端末デバイスは、複数の同期信号の中の第1の物理ブロードキャストチャネルに対応する第1の同期信号および第2の物理ブロードキャストチャネルに対応する第2の同期信号を受信する。同期信号は物理ブロードキャストチャネルと1対1の対応関係にある。
【０１７４】
ステップ802：基地局が、同じ方式で、複数のブロードキャスト情報に対してCRCの付加、チャネル符号化、スクランブリング、および変調を実行して、複数の対応するブロードキャストチャネル信号を生成する。
【０１７５】
基地局は、複数の事前設定されたスクランブリング符号系列を使用して複数のブロードキャスト情報をスクランブルし、複数の事前設定されたスクランブリング符号系列を端末デバイスに送信する。
【０１７６】
ステップ803：基地局が、無線フレーム内の複数の時間周波数リソース位置で、複数の物理ブロードキャストチャネルを使用して複数のブロードキャスト情報を送信する（言い換えれば、基地局が複数の物理ブロードキャストチャネルを送信する）。ブロードキャスト情報の各々は対応するブロードキャスト情報を搬送する。
【０１７７】
端末デバイスは、無線フレーム内の第1の時間周波数リソース位置で対応する第1の物理ブロードキャストチャネル上の第1のブロードキャストチャネル信号を受信し、第2の時間周波数リソース位置で対応する第2の物理ブロードキャストチャネル上の第2のブロードキャストチャネル信号を受信する。
【０１７８】
第1のブロードキャストチャネル信号は第1のブロードキャスト情報を搬送し、第1のブロードキャスト情報は第1の時間周波数リソース位置の時間オフセットを含み、第2のブロードキャストチャネル信号は第2のブロードキャスト情報を搬送し、第2のブロードキャスト情報は第2の時間周波数リソース位置の時間オフセットを含む。
【０１７９】
ステップ804：基地局が、基地局によって送信された複数の事前設定されたスクランブリング符号系列から、第1のブロードキャストチャネル信号の第1のスクランブリング符号系列および第2のブロードキャストチャネル信号の第2のスクランブリング符号系列を決定し、第1のスクランブリング符号系列および第2のスクランブリング符号系列に基づいて、第1のブロードキャスト情報内の第1の情報が第2のブロードキャスト情報内の第2の情報と同じであると判断する。
【０１８０】
第1のスクランブリング符号列が第2のスクランブリング符号列と同じであると判断すると、端末デバイスは、第1のブロードキャスト情報内の第1の情報が第2のブロードキャスト情報内の第2の情報と同じであると判断する。
【０１８１】
ステップ805：端末デバイスが、時間領域内の第1のブロードキャストチャネルによって占有された第1の時間周波数リソース位置と第2の時間周波数リソース位置との間の時間オフセット差を特定し、時間オフセット差に対応する差分シーケンスを取得し、差分シーケンスに基づいてスクランブリング符号系列を生成する。
【０１８２】
端末デバイスは、時間差と差分シーケンスとの間の対応関係を維持する。したがって、時間オフセット差を取得した後、端末デバイスは、時間差と差分シーケンスとの間の対応関係に基づいて、時間オフセット差に対応する差分シーケンスを取得して、スクランブリング符号系列を生成することができる。
【０１８３】
この例では、端末デバイスが差分シーケンスに基づいてスクランブリング符号系列を生成する具体的な処理については、前述の実施形態を参照されたい。詳細は本明細書では再び記載されない。
【０１８４】
ステップ806：端末デバイスが、スクランブリング符号系列に基づいて受信された第1のブロードキャストチャネル信号をスクランブル解除し、第2のブロードキャストチャネル信号の事前設定された第2のスクランブリング符号系列に基づいて第2のブロードキャストチャネル信号をスクランブル解除する。
【０１８５】
第2のスクランブリング符号系列は、基地局によって端末デバイスに送信される。
【０１８６】
ステップ806では、端末デバイスは第1のブロードキャストチャネル信号をスクランブル解除し、その結果、スクランブル解除された第1のブロードキャストチャネル信号で搬送された情報が、事前設定された第2のスクランブリング符号系列を使用してスクランブル解除された第2のブロードキャストチャネル信号で搬送された情報と同じであるとき、第2のブロードキャスト情報を取得するためにジョイント復号が実施される。
【０１８７】
ステップ807：端末デバイスが、スクランブル解除された第1のブロードキャストチャネル信号およびスクランブル解除された第2のブロードキャストチャネル信号に対してジョイント復号を実行して、第2のブロードキャスト情報を取得する。
【０１８８】
ステップ808：端末デバイスが、第2のブロードキャスト情報に含まれる第2の時間周波数リソース位置の時間オフセットを取得し、時間領域内の第2の時間周波数リソース位置の時間位置、および第2の時間周波数リソース位置の時間オフセットに基づいて、無線フレームのフレームヘッダ位置を特定する。
【０１８９】
端末デバイスが、時間領域内の第2の時間周波数リソース位置の時間位置（第2のブロードキャストチャネル信号が受信された時間位置）から、第2の時間周波数リソース位置の時間オフセットを減算して、無線フレームのフレームヘッダ位置を取得する。
【０１９０】
ステップ809：端末デバイスが、無線フレームのフレームヘッダ位置および第2のブロードキャスト情報で搬送されたシステム情報に基づいてネットワークにアクセスする。
【０１９１】
前述の実施形態に基づいて、本出願の一実施形態は基地局を提供し、基地局は、図2に示されたマルチビームワイヤレスアクセスシステムに適用され、図3に示された物理ブロードキャストチャネル送信方法を実施するように構成される。図9に示されたように、基地局900は送信ユニット901および処理ユニット902を含む。
【０１９２】
送信ユニット901は、無線フレーム内の少なくとも2つの時間周波数リソース位置で少なくとも2つの物理ブロードキャストチャネルを送信するように構成される。1つの時間周波数リソース位置は1つの物理ブロードキャストチャネルに対応し、物理ブロードキャストチャネルはブロードキャスト情報を搬送し、ブロードキャスト情報は、物理ブロードキャストチャネルに対応する時間周波数リソース位置の時間オフセットを含み、物理ブロードキャストチャネルに対応する時間周波数リソース位置の時間オフセットは、時間領域内の物理ブロードキャストチャネルに対応する時間周波数リソース位置の時間位置と、無線フレームのフレームヘッダ位置との間の時間間隔に関する情報であり、少なくとも2つの物理ブロードキャストチャネル上で搬送されたブロードキャスト情報に含まれる時間周波数リソース位置の時間オフセットは異なる。
【０１９３】
処理ユニット902は、少なくとも2つの物理ブロードキャストチャネル用の指示情報を生成するように構成される。指示情報は、時間周波数リソース位置の時間オフセット以外の情報が、少なくとも2つの物理ブロードキャストチャネル上で搬送されたブロードキャスト情報内で同じであることを、端末デバイスに通知するために使用される。
【０１９４】
送信ユニット901は、指示情報を送信するようにさらに構成される。
【０１９５】
場合によっては、送信ユニット901は、
少なくとも2つの同期信号を送信するようにさらに構成され、任意の同期信号は、少なくとも2つの物理ブロードキャストチャネルのうちの少なくとも1つに対応し、少なくとも2つの同期信号で搬送された同期信号列は、少なくとも2つの物理ブロードキャストチャネルの指示情報を含む。
【０１９６】
場合によっては、指示情報は、少なくとも2つの同期信号で搬送された同期信号列である。
【０１９７】
場合によっては、少なくとも2つの時間周波数リソース位置のうちのいずれか1つの時間オフセットと、別の時間周波数リソース位置の時間オフセットとの間の差は、1つの固有の差分シーケンスに対応する。
【０１９８】
場合によっては、処理ユニット902は、送信ユニット901が少なくとも2つの時間周波数リソース位置で少なくとも2つの物理ブロードキャストチャネルを送信する前に、少なくとも2つの物理ブロードキャストチャネル上で搬送されたブロードキャスト情報に対して、同じ方式で、巡回冗長検査CRC符号の付加、チャネル符号化、スクランブリング、および変調を実行して、少なくとも2つの対応するブロードキャストチャネル信号を生成するように構成される。
【０１９９】
送信ユニット901は、
少なくとも2つの物理ブロードキャストチャネルの各々で、物理ブロードキャストチャネル上で搬送されたブロードキャスト情報に対応するブロードキャストチャネル信号を送信する
ようにさらに構成される。
【０２００】
本出願のこの実施形態で提供される基地局を使用することにより、基地局は、無線フレーム内の少なくとも2つの時間周波数リソース位置で少なくとも2つの物理ブロードキャストチャネルを送信し、少なくとも2つの物理ブロードキャストチャネル用の指示情報を送信する。この場合、2つの物理ブロードキャストチャネル上のブロードキャストチャネル信号を受信した後、端末デバイスは、2つの物理ブロードキャストチャネルの指示情報に基づいて、時間周波数リソース位置の時間オフセット以外の情報が、2つのブロードキャストチャネル信号で搬送されたブロードキャスト情報内で同じであると判断して、2つのブロードキャストチャネル信号に対してジョイント復号をさらに実施し、ブロードキャストチャネル信号のうちの1つで搬送されたブロードキャスト情報を取得することができる。
【０２０１】
前述の実施形態に基づいて、本出願の一実施形態は端末デバイスを提供し、端末デバイスは、図2に示されたマルチビームワイヤレスアクセスシステムに適用され、図5に示された物理ブロードキャストチャネル受信方法を実施するように構成される。図10に示されたように、端末デバイス1000は受信ユニット1001および処理ユニット1002を含む。
【０２０２】
受信ユニット1001は、無線フレーム内の第1の時間周波数リソース位置で対応する第1の物理ブロードキャストチャネル上の第1のブロードキャストチャネル信号を受信し、第2の時間周波数リソース位置で対応する第2の物理ブロードキャストチャネル上の第2のブロードキャストチャネル信号を受信するように構成される。第1のブロードキャストチャネル信号は第1のブロードキャスト情報を搬送し、第1のブロードキャスト情報は第1の時間周波数リソース位置の時間オフセットを含み、第2のブロードキャストチャネル信号は第2のブロードキャスト情報を搬送し、第2のブロードキャスト情報は第2の時間周波数リソース位置の時間オフセットを含み、任意の時間周波数リソース位置の時間オフセットは、時間領域内の時間周波数リソース位置の時間位置と無線フレームのフレームヘッダ位置との間の時間間隔に関する情報である。
【０２０３】
処理ユニット1002は、第1のブロードキャスト情報内の第1の情報が第2のブロードキャスト情報内の第2の情報と同じであると判断することであって、第1の情報が第1のブロードキャスト情報内の第1の時間周波数リソース位置の時間オフセット以外の情報であり、第2の情報が第2のブロードキャスト情報内の第2の時間周波数リソース位置の時間オフセット以外の情報である、判断することと、
時間領域内の第1の時間周波数リソース位置と第2の時間周波数リソース位置との間の時間オフセット差を特定することと、
時間オフセット差に対応する差分シーケンスを取得し、差分シーケンスに基づいてスクランブリング符号系列を生成することであって、1つの時間オフセット差が1つの固有の差分シーケンスに対応する、生成することと、
スクランブリング符号系列に基づいて第1のブロードキャストチャネル信号をスクランブル解除し、第2のブロードキャストチャネル信号の事前設定された第2のスクランブリング符号系列に基づいて第2のブロードキャストチャネル信号をスクランブル解除し、第2のブロードキャスト情報を取得するために、スクランブル解除された第1のブロードキャストチャネル信号およびスクランブル解除された第2のブロードキャストチャネル信号に対してジョイント復号を実行することと
を行うように構成される。
【０２０４】
場合によっては、第1の情報が第2の情報と同じであると判断することに関して、処理ユニット1002は、
第1の物理ブロードキャストチャネルおよび第2の物理ブロードキャストチャネルの指示情報を取得し、指示情報に基づいて、第1の情報が第2の情報と同じであると判断すること、または
複数の事前設定されたスクランブリング符号系列から、第1のブロードキャストチャネル信号の第1のスクランブリング符号系列および第2のブロードキャストチャネル信号の第2のスクランブリング符号系列を決定し、第1のスクランブリング符号系列および第2のスクランブリング符号系列に基づいて、第1の情報が第2の情報と同じであると判断すること
を行うようにさらに構成される。
【０２０５】
場合によっては、受信ユニット1001は、第1の物理ブロードキャストチャネルに対応する第1の同期信号および第2の物理ブロードキャストチャネルに対応する第2の同期信号を受信するようにさらに構成され、
指示情報を取得することに関して、処理ユニット1002は、
第1の同期信号および第2の同期信号で搬送された同期信号列に含まれる指示情報を取得するようにさらに構成される。
【０２０６】
場合によっては、指示情報は、第1の同期信号および第2の同期信号で搬送された同期信号列である。
【０２０７】
場合によっては、第1のスクランブリング符号系列および第2のスクランブリング符号系列に基づいて、第1の情報が第2の情報と同じであると判断することに関して、処理ユニット1002は、
第1のスクランブリング符号系列が第2のスクランブリング符号系列と同じであると判断すると、第1の情報が第2の情報と同じであると判断するようにさらに構成される。
【０２０８】
場合によっては、処理ユニット1002は、
第2のブロードキャスト情報を取得した後、第2のブロードキャスト情報に含まれる第2の時間周波数リソース位置の時間オフセットを取得することと、
時間領域内の第2の時間周波数リソース位置の時間位置、および第2の時間周波数リソース位置の取得された時間オフセットに基づいて、無線フレームのフレームヘッダ位置を特定することと
を行うようにさらに構成される。
【０２０９】
本出願のこの実施形態で提供される端末デバイスを使用することにより、端末デバイスは、少なくとも2つの時間周波数リソース位置の中の第1の時間周波数リソース位置および第2の時間周波数リソース位置で、それぞれ、対応する第1のブロードキャストチャネル上の第1のブロードキャストチャネル信号、および第2のブロードキャストチャネル信号を受信する。任意のブロードキャストチャネル信号はブロードキャスト情報を搬送し、ブロードキャスト情報は対応する時間周波数資源位置の時間オフセットを含む。第1のブロードキャスト情報内の第1の情報（すなわち、第1の時間周波数リソース位置の時間オフセット以外の情報）は、第2のブロードキャスト情報内の第2の情報（すなわち、第2の時間周波数リソース位置の時間オフセット以外の情報）と同じであると判断した後、端末デバイスは、前述の2つの時間周波数リソース位置間の時間オフセット差を特定し、時間オフセット差に基づいてスクランブリング符号系列を生成する。端末デバイスは、スクランブリング符号系列に基づいて第1のブロードキャストチャネル信号をスクランブル解除し、スクランブル解除された第1のブロードキャストチャネル信号、および事前設定された第2のスクランブリング符号系列に基づいてスクランブル解除された第2のブロードキャストチャネル信号に対してジョイント復号を実施して、第2のブロードキャスト情報を取得することができる。この場合、端末デバイスは正確なブロードキャスト情報を取得することができ、ブロードキャスト情報に含まれる時間周波数リソース位置の時間オフセットに基づいて無線フレームのフレームヘッダ位置を特定し、無線フレームの取得された正確なフレームヘッダ位置およびブロードキャスト情報で搬送された（システム情報などの）情報の各々に基づいて、ネットワークにアクセスすることができる。
【０２１０】
本出願の実施形態におけるユニット分割は一例であり、論理的な機能分割にすぎないことに留意されたい。実際の実装の間に、別の分割方式が使用されてもよい。本出願の実施形態における機能ユニットは1つの処理ユニットに統合されてもよく、または、ユニットの各々は物理的に単独で存在してもよく、または2つ以上のユニットが1つのユニットに統合されてもよい。統合ユニットは、ハードウェアの形態で実装されてもよく、ソフトウェア機能ユニットの形態で実装されてもよい。
【０２１１】
統合ユニットがソフトウェア機能ユニットの形態で実装され、独立した製品として販売または使用されるとき、統合ユニットはコンピュータ可読記憶媒体に記憶されてもよい。そのような理解に基づいて、本出願の技術的解決策は本質的に、または従来技術に寄与する部分は、または技術的解決策のうちのすべてもしくは一部は、ソフトウェア製品の形態で実装されてもよい。コンピュータソフトウェア製品は、記憶媒体に記憶され、本出願の実施形態に記載された方法のすべてまたは一部のステップを実行するように、（パーソナルコンピュータ、サーバ、もしくはネットワークデバイスであってもよい）コンピュータデバイスまたはプロセッサ（processor）に命令するためのいくつかの命令を含む。しかしながら、前述の記憶媒体には、USBフラッシュドライブ、リムーバブルハードディスク、読取り専用メモリ（ROM、Read−Only Memory）、ランダムアクセスメモリ（RAM、Random Access Memory）、磁気ディスク、または光ディスクなどの、プログラムコードを記憶することができる任意の媒体が含まれる。
【０２１２】
前述の実施形態に基づいて、本発明の一実施形態は基地局をさらに提供する。基地局は、図2に示されたマルチビームワイヤレスアクセスシステムに適用され、図3に示された物理ブロードキャストチャネル送信方法を実施するように構成され、図9に示された基地局900の機能を有する。図11に示されたように、基地局1100は、トランシーバ1101、プロセッサ1102、およびバス1103を含む。
【０２１３】
トランシーバ1101およびプロセッサ1102は、バス1103を使用して互いに接続される。バス1103は、周辺構成要素相互接続（peripheral component interconnect、略してPCI）バス、拡張業界標準アーキテクチャ（extended industry standard architecture、略してEISA）バスなどであってもよい。バスは、アドレスバス、データバス、制御バスなどに分類されてもよい。表現を容易にするために、ただ1つの太線が図11の表現に使用されているが、これは、ただ1つのバスまたはただ1つのタイプのバスしか存在しないことを意味しない。
【０２１４】
トランシーバ1101は、マルチビームワイヤレスアクセスシステム内の別のデバイスとの通信相互作用を実行するように構成される。
【０２１５】
プロセッサ1102は、
無線フレーム内の少なくとも2つの時間周波数リソース位置で少なくとも2つの物理ブロードキャストチャネルを送信するステップであって、1つの時間周波数リソース位置が1つの物理ブロードキャストチャネルに対応し、物理ブロードキャストチャネルがブロードキャスト情報を搬送し、ブロードキャスト情報が、物理ブロードキャストチャネルに対応する時間周波数リソース位置の時間オフセットを含み、物理ブロードキャストチャネルに対応する時間周波数リソース位置の時間オフセットが、時間領域内の物理ブロードキャストチャネルに対応する時間周波数リソース位置の時間位置と、無線フレームのフレームヘッダ位置との間の時間間隔に関する情報であり、少なくとも2つの物理ブロードキャストチャネル上で搬送されたブロードキャスト情報に含まれる時間周波数リソース位置の時間オフセットが異なる、ステップと、
少なくとも2つの物理ブロードキャストチャネル用の指示情報を送信するステップであって、指示情報が、時間周波数リソース位置の時間オフセット以外の情報が、少なくとも2つの物理ブロードキャストチャネル上で搬送されたブロードキャスト情報内で同じであることを、端末デバイスに通知するために使用される、ステップと
を含む、図3に示された物理ブロードキャストチャネル送信方法を実施するように構成される。
【０２１６】
場合によっては、少なくとも2つの物理ブロードキャストチャネル用の指示情報を送信することに関して、プロセッサ1102は、
少なくとも2つの同期信号を送信することであって、任意の同期信号が少なくとも2つの物理ブロードキャストチャネルのうちの少なくとも1つに対応し、少なくとも2つの同期信号で搬送された同期信号列が、少なくとも2つの物理ブロードキャストチャネルの指示情報を含む、送信すること
を行うようにさらに構成される。
【０２１７】
場合によっては、指示情報は、少なくとも2つの同期信号で搬送された同期信号列である。
【０２１８】
場合によっては、少なくとも2つの時間周波数リソース位置のうちのいずれか1つの時間オフセットと、別の時間周波数リソース位置の時間オフセットとの間の差は、1つの固有の差分シーケンスに対応する。
【０２１９】
場合によっては、無線フレーム内の少なくとも2つの時間周波数リソース位置で少なくとも2つの物理ブロードキャストチャネルを送信することに関して、プロセッサ1102は、
少なくとも2つの物理ブロードキャストチャネル上で搬送されたブロードキャスト情報に対して、同じ方式で、巡回冗長検査CRC符号の付加、チャネル符号化、スクランブリング、および変調を実行して、少なくとも2つの対応するブロードキャストチャネル信号を生成することと、
少なくとも2つの物理ブロードキャストチャネルの各々で、物理ブロードキャストチャネル上で搬送されたブロードキャスト情報に対応するブロードキャストチャネル信号を送信することと
を行うようにさらに構成される。
【０２２０】
基地局1100は、プログラムなどを記憶するように構成されたメモリ1104をさらに含む。具体的には、プログラムはプログラムコードを含んでもよく、プログラムコードはコンピュータ動作命令を含む。メモリ1104は、ランダムアクセスメモリ（random access memory、略してRAM）を含んでもよく、少なくとも1つの磁気ディスクメモリなどの不揮発性メモリ（non−volatile memory）をさらに含んでもよい。プロセッサ1102は、メモリ1104に記憶されたアプリケーションプログラムを実行し、前述の機能を実現して、図3に示された物理ブロードキャストチャネル送信方法を実施する。
【０２２１】
本出願のこの実施形態で提供される基地局を使用することにより、基地局は、無線フレーム内の少なくとも2つの時間周波数リソース位置で少なくとも2つの物理ブロードキャストチャネルを送信し、少なくとも2つの物理ブロードキャストチャネル用の指示情報を送信する。この場合、2つの物理ブロードキャストチャネル上のブロードキャストチャネル信号を受信した後、端末デバイスは、2つの物理ブロードキャストチャネルの指示情報に基づいて、時間周波数リソース位置の時間オフセット以外の情報が、2つのブロードキャストチャネル信号で搬送されたブロードキャスト情報内で同じであると判断して、2つのブロードキャストチャネル信号に対してジョイント復号をさらに実施し、ブロードキャストチャネル信号のうちの1つで搬送されたブロードキャスト情報を取得することができる。
【０２２２】
前述の実施形態に基づいて、本発明の一実施形態は端末デバイスをさらに提供する。端末デバイスは、図2に示されたワイヤレスアクセスシステムに適用され、図5に示された物理ブロードキャストチャネル受信方法を実施するように構成され、図10に示された端末デバイス1000の機能を有する。図12に示されたように、端末デバイス1200は、トランシーバ1201、プロセッサ1202、およびバス1203を含む。
【０２２３】
トランシーバ1201およびプロセッサ1202は、バス1203を使用して互いに接続される。バス1203は、周辺構成要素相互接続（peripheral component interconnect、略してPCI）バス、拡張業界標準アーキテクチャ（extended industry standard architecture、略してEISA）バスなどであってもよい。バスは、アドレスバス、データバス、制御バスなどに分類されてもよい。表現を容易にするために、ただ1つの太線が図12の表現に使用されているが、これは、ただ1つのバスまたはただ1つのタイプのバスしか存在しないことを意味しない。
【０２２４】
トランシーバ1201は、マルチビームワイヤレスアクセスシステム内の別のデバイスとの通信相互作用を実行するように構成される。
【０２２５】
プロセッサ1202は、
無線フレーム内の第1の時間周波数リソース位置で対応する第1の物理ブロードキャストチャネル上の第1のブロードキャストチャネル信号を受信し、第2の時間周波数リソース位置で対応する第2の物理ブロードキャストチャネル上の第2のブロードキャストチャネル信号を受信するステップであって、第1のブロードキャストチャネル信号が第1のブロードキャスト情報を搬送し、第1のブロードキャスト情報が第1の時間周波数リソース位置の時間オフセットを含み、第2のブロードキャストチャネル信号が第2のブロードキャスト情報を搬送し、第2のブロードキャスト情報が第2の時間周波数リソース位置の時間オフセットを含み、任意の時間周波数リソース位置の時間オフセットが、時間領域内の時間周波数リソース位置の時間位置と無線フレームのフレームヘッダ位置との間の時間間隔に関する情報である、ステップと、
第1のブロードキャスト情報内の第1の情報が第2のブロードキャスト情報内の第2の情報と同じであると判断するステップであって、第1の情報が第1のブロードキャスト情報内の第1の時間周波数リソース位置の時間オフセット以外の情報であり、第2の情報が第2のブロードキャスト情報内の第2の時間周波数リソース位置の時間オフセット以外の情報である、ステップと、
時間領域内の第1の時間周波数リソース位置と第2の時間周波数リソース位置との間の時間オフセット差を特定するステップと、
時間オフセット差に対応する差分シーケンスを取得し、差分シーケンスに基づいてスクランブリング符号系列を生成するステップであって、1つの時間オフセット差が1つの固有の差分シーケンスに対応する、ステップと、
スクランブリング符号系列に基づいて第1のブロードキャストチャネル信号をスクランブル解除し、第2のブロードキャストチャネル信号の事前設定された第2のスクランブリング符号系列に基づいて第2のブロードキャストチャネル信号をスクランブル解除し、第2のブロードキャスト情報を取得するために、スクランブル解除された第1のブロードキャストチャネル信号およびスクランブル解除された第2のブロードキャストチャネル信号に対してジョイント復号を実行するステップと
を含む、図5に示された物理ブロードキャストチャネル受信方法を実施するように構成される。
【０２２６】
場合によっては、第1の情報が第2の情報と同じであると判断することに関して、プロセッサ1202は、
第1の物理ブロードキャストチャネルおよび第2の物理ブロードキャストチャネルの指示情報を取得し、指示情報に基づいて、第1の情報が第2の情報と同じであると判断すること、または
複数の事前設定されたスクランブリング符号系列から、第1のブロードキャストチャネル信号の第1のスクランブリング符号系列および第2のブロードキャストチャネル信号の第2のスクランブリング符号系列を決定し、第1のスクランブリング符号系列および第2のスクランブリング符号系列に基づいて、第1の情報が第2の情報と同じであると判断すること
を行うようにさらに構成される。
【０２２７】
場合によっては、第1の物理ブロードキャストチャネルおよび第2の物理ブロードキャストチャネルの指示情報を取得することに関して、プロセッサ1202は、
第1の物理ブロードキャストチャネルに対応する第1の同期信号および第2の物理ブロードキャストチャネルに対応する第2の同期信号を受信することと、
第1の同期信号および第2の同期信号で搬送された同期信号列に含まれる指示情報を取得することと
を行うようにさらに構成される。
【０２２８】
場合によっては、指示情報は、第1の同期信号および第2の同期信号で搬送された同期信号列である。
【０２２９】
場合によっては、第1のスクランブリング符号系列および第2のスクランブリング符号系列に基づいて、第1の情報が第2の情報と同じであると判断することに関して、プロセッサ1202は、
第1のスクランブリング符号系列が第2のスクランブリング符号系列と同じであると判断すると、第1の情報が第2の情報と同じであると判断するようにさらに構成される。
【０２３０】
場合によっては、プロセッサ1202は、
第2のブロードキャスト情報を取得した後、第2のブロードキャスト情報に含まれる第2の時間周波数リソース位置の時間オフセットを取得することと、
時間領域内の第2の時間周波数リソース位置の時間位置、および第2の時間周波数リソース位置の取得された時間オフセットに基づいて、無線フレームのフレームヘッダ位置を特定することと
を行うようにさらに構成される。
【０２３１】
端末デバイス1200は、プログラムなどを記憶するように構成されたメモリ1204をさらに含む。具体的には、プログラムはプログラムコードを含んでもよく、プログラムコードはコンピュータ動作命令を含む。メモリ1204は、ランダムアクセスメモリ（random access memory、略してRAM）を含んでもよく、少なくとも1つの磁気ディスクメモリなどの不揮発性メモリ（non−volatile memory）をさらに含んでもよい。プロセッサ1202は、メモリ1204に記憶されたアプリケーションプログラムを実行し、前述の機能を実現して、図5に示された物理ブロードキャストチャネル受信方法を実施する。
【０２３２】
本出願のこの実施形態で提供される端末デバイスを使用することにより、端末デバイスは、少なくとも2つの時間周波数リソース位置の中の第1の時間周波数リソース位置および第2の時間周波数リソース位置で、それぞれ、対応する第1のブロードキャストチャネル上の第1のブロードキャストチャネル信号、および第2のブロードキャストチャネル信号を受信する。任意のブロードキャストチャネル信号はブロードキャスト情報を搬送し、ブロードキャスト情報は対応する時間周波数資源位置の時間オフセットを含む。第1のブロードキャスト情報内の第1の情報（すなわち、第1の時間周波数リソース位置の時間オフセット以外の情報）は、第2のブロードキャスト情報内の第2の情報（すなわち、第2の時間周波数リソース位置の時間オフセット以外の情報）と同じであると判断した後、端末デバイスは、前述の2つの時間周波数リソース位置間の時間オフセット差を特定し、時間オフセット差に基づいてスクランブリング符号系列を生成する。端末デバイスは、スクランブリング符号系列に基づいて第1のブロードキャストチャネル信号をスクランブル解除し、スクランブル解除された第1のブロードキャストチャネル信号、および事前設定された第2のスクランブリング符号系列に基づいてスクランブル解除された第2のブロードキャストチャネル信号に対してジョイント復号を実施して、第2のブロードキャスト情報を取得することができる。この場合、端末デバイスは正確なブロードキャスト情報を取得することができ、ブロードキャスト情報に含まれる時間周波数リソース位置の時間オフセットに基づいて無線フレームのフレームヘッダ位置を特定し、無線フレームの取得された正確なフレームヘッダ位置およびブロードキャスト情報で搬送された（システム情報などの）情報の各々に基づいて、ネットワークにアクセスすることができる。
【０２３３】
本出願の実施形態で提供される物理ブロードキャストチャネルの送受信方法および装置を使用することにより、マルチビームワイヤレスアクセスシステム内の基地局は、無線フレーム内の少なくとも2つの時間周波数リソース位置で少なくとも2つの物理ブロードキャストチャネルを送信し、端末デバイスは、少なくとも2つの時間周波数リソース位置の中の第1の時間周波数リソース位置および第2の時間周波数リソース位置で、それぞれ、対応する第1のブロードキャストチャネル上の第1のブロードキャストチャネル信号、および第2のブロードキャストチャネル信号を受信する。任意のブロードキャストチャネル信号はブロードキャスト情報を搬送し、ブロードキャスト情報は対応する時間周波数資源位置の時間オフセットを含む。第1のブロードキャスト情報内の第1の情報（すなわち、第1の時間周波数リソース位置の時間オフセット以外の情報）は、第2のブロードキャスト情報内の第2の情報（すなわち、第2の時間周波数リソース位置の時間オフセット以外の情報）と同じであると判断した後、端末デバイスは、前述の2つの時間周波数リソース位置間の時間オフセット差を特定し、時間オフセット差に基づいてスクランブリング符号系列を生成する。端末デバイスは、スクランブリング符号系列に基づいて第1のブロードキャストチャネル信号をスクランブル解除し、スクランブル解除された第1のブロードキャストチャネル信号、および事前設定された第2のスクランブリング符号系列に基づいてスクランブル解除された第2のブロードキャストチャネル信号に対してジョイント復号を実施して、第2のブロードキャスト情報を取得することができる。この場合、端末デバイスは正確なブロードキャスト情報を取得することができ、ブロードキャスト情報に含まれる時間周波数リソース位置の時間オフセットに基づいて無線フレームのフレームヘッダ位置を特定し、無線フレームの取得された正確なフレームヘッダ位置およびブロードキャスト情報で搬送された（システム情報などの）情報の各々に基づいて、ネットワークにアクセスすることができる。
【０２３４】
本発明の実施形態は、方法、システム、またはコンピュータプログラム製品として提供されてもよいことを当業者なら理解されよう。したがって、本発明は、ハードウェアのみの実施形態、ソフトウェアのみの実施形態、またはソフトウェアとハードウェアの組合せを有する実施形態の形態を使用してもよい。その上、本発明は、コンピュータ使用可能プログラムコードを含む、（限定はしないが、磁気ディスクメモリ、CD−ROM、および光メモリを含む）1つまたは複数のコンピュータ使用可能記憶媒体に実装されたコンピュータプログラム製品の形態を使用してもよい。
【０２３５】
本発明は、本発明の実施形態による、方法、デバイス（システム）、およびコンピュータプログラム製品のフローチャートおよび／またはブロック図を参照して記載されている。コンピュータプログラム命令は、フローチャートおよび／またはブロック図の各プロセスおよび／または各ブロック、ならびにフローチャートおよび／またはブロック図のプロセスおよび／またはブロックの組合せを実装するために使用されてもよいことを理解されたい。これらのコンピュータプログラム命令は、機械を生成するために、汎用コンピュータ、専用コンピュータ、組込み型プロセッサ、または任意の他のプログラマブルデータ処理デバイスのプロセッサに提供されてもよく、その結果、コンピュータまたは任意の他のプログラマブルデータ処理デバイスのプロセッサによって実行される命令は、フローチャートの1つもしくは複数のプロセス内、および／またはブロック図の1つもしくは複数のブロック内の特定の機能を実装するための装置を生成する。
【０２３６】
これらのコンピュータプログラム命令は、特定の方式で動作するようにコンピュータまたは任意の他のプログラマブルデータ処理デバイスに命令することができるコンピュータ可読メモリに記憶されてもよく、その結果、コンピュータ可読メモリに記憶された命令は、命令装置を含む人工物を生成する。命令装置は、フローチャートの1つもしくは複数のプロセス内、および／またはブロック図の1つもしくは複数のブロック内の特定の機能を実装する。
【０２３７】
これらのコンピュータプログラム命令は、コンピュータまたは別のプログラマブルデータ処理デバイスにロードされてもよく、その結果、一連の動作およびステップは、コンピュータまたは別のプログラマブルデバイス上で実施され、それにより、コンピュータ実装処理が生成される。したがって、コンピュータまたは別のプログラマブルデバイス上で実行される命令は、フローチャートの1つもしくは複数のプロセス内、および／またはブロック図の1つもしくは複数のブロック内の特定の機能を実装するためのステップを提供する。
【０２３８】
本出願のいくつかの実施形態が記載されたが、当業者は、基本的な発明構想を知ると、これらの実施形態に対して変更および修正を行うことができる。したがって、以下の特許請求の範囲は、本出願の範囲内に入る好ましい実施形態ならびにすべての変更および修正を包含するものとして解釈されるものである。
【０２３９】
明らかに、当業者は、本出願の実施形態の趣旨および範囲から逸脱することなく、本出願の実施形態に対して様々な修正および変形を行うことができる。本出願は、本出願の特許請求の範囲およびそれらの等価な技術の範囲内に入るという条件で、これらの修正および変形を包含するものである。
【符号の説明】
【０２４０】
201  基地局
202  端末デバイス
900  基地局
901  送信ユニット
902  処理ユニット
1000  端末デバイス
1001  受信ユニット
1002  処理ユニット
1100  基地局
1101  トランシーバ
1102  プロセッサ
1103  バス
1104  メモリ
1200  端末デバイス
1201  トランシーバ
1202  プロセッサ
1203  バス
1204  メモリ
【図１】
2019526964.tif 000005
【図２】
2019526964.tif 000006
【図３】
2019526964.tif 000007
【図４】
2019526964.tif 000008
【図５】
2019526964.tif 000009
【図６】
2019526964.tif 000010
【図７Ａ】
2019526964.tif 000011
【図７Ｂ】
2019526964.tif 000012
【図８Ａ】
2019526964.tif 000013
【図８Ｂ】
2019526964.tif 000014
【図９】
2019526964.tif 000015
【図１０】
2019526964.tif 000016
【図１１】
2019526964.tif 000017
【図１２】
2019526964.tif 000018
【手続補正書】
【提出日】平成31年3月22日(2019.3.22)
【手続補正１】
【補正対象書類名】特許請求の範囲
【補正対象項目名】全文
【補正方法】変更
【補正の内容】
【特許請求の範囲】
【請求項１】
物理ブロードキャストチャネル送信方法であって、
基地局により、無線フレーム内の少なくとも2つの時間周波数リソース位置で少なくとも2つの物理ブロードキャストチャネルを送信するステップであって、1つの時間周波数リソース位置が1つの物理ブロードキャストチャネルに対応し、前記物理ブロードキャストチャネルがブロードキャスト情報を搬送し、前記ブロードキャスト情報が、前記物理ブロードキャストチャネルに対応する時間周波数リソース位置の時間オフセットを備え、前記物理ブロードキャストチャネルに対応する前記時間周波数リソース位置の前記時間オフセットが、時間領域内の前記物理ブロードキャストチャネルに対応する前記時間周波数リソース位置の時間位置と、前記無線フレームのフレームヘッダ位置との間の時間間隔に関する情報であり、前記少なくとも2つの物理ブロードキャストチャネル上で搬送されたブロードキャスト情報に備えられる前記時間周波数リソース位置の時間オフセットが異なる、ステップと、
前記基地局により、前記少なくとも2つの物理ブロードキャストチャネル用の指示情報を送信するステップであって、前記指示情報が、前記時間周波数リソース位置の前記時間オフセット以外の情報が、前記少なくとも2つの物理ブロードキャストチャネル上で搬送された前記ブロードキャスト情報内で同じであることを、端末デバイスに通知するために使用される、ステップと
を備える、物理ブロードキャストチャネル送信方法。
【請求項２】
前記基地局により、前記少なくとも2つの物理ブロードキャストチャネル用の指示情報を送信する前記ステップが、
前記基地局により、少なくとも2つの同期信号を送信するステップであって、任意の同期信号が前記少なくとも2つの物理ブロードキャストチャネルのうちの少なくとも1つに対応し、前記少なくとも2つの同期信号で搬送された同期信号列が、前記少なくとも2つの物理ブロードキャストチャネルの前記指示情報を備える、ステップ
を備える、請求項1に記載の方法。
【請求項３】
前記指示情報が、前記少なくとも2つの同期信号で搬送された前記同期信号列である、請求項2に記載の方法。
【請求項４】
前記少なくとも2つの時間周波数リソース位置のうちのいずれか1つの時間オフセットと、別の時間周波数リソース位置の時間オフセットとの間の差が、1つの固有の差分シーケンスに対応する、請求項1から3のいずれか一項に記載の方法。
【請求項５】
基地局により、無線フレーム内の少なくとも2つの時間周波数リソース位置で少なくとも2つの物理ブロードキャストチャネルを送信する前記ステップが、
前記基地局により、少なくとも2つの対応するブロードキャストチャネル信号を生成するために、前記少なくとも2つの物理ブロードキャストチャネル上で搬送された前記ブロードキャスト情報に対して、同じ方式で、巡回冗長符号(CRC)の付加、チャネル符号化、スクランブリング、および変調を実行するステップと、
前記基地局により、前記少なくとも2つの物理ブロードキャストチャネルの各々で、前記物理ブロードキャストチャネル上で搬送されたブロードキャスト情報に対応するブロードキャストチャネル信号を送信するステップと
を備える、請求項1から4のいずれか一項に記載の方法。
【請求項６】
物理ブロードキャストチャネル受信方法であって、
端末デバイスにより、無線フレーム内の第1の時間周波数リソース位置で対応する第1の物理ブロードキャストチャネル上の第1のブロードキャストチャネル信号を受信し、第2の時間周波数リソース位置で対応する第2の物理ブロードキャストチャネル上の第2のブロードキャストチャネル信号を受信するステップであって、前記第1のブロードキャストチャネル信号が第1のブロードキャスト情報を搬送し、前記第1のブロードキャスト情報が前記第1の時間周波数リソース位置の時間オフセットを備え、前記第2のブロードキャストチャネル信号が第2のブロードキャスト情報を搬送し、前記第2のブロードキャスト情報が前記第2の時間周波数リソース位置の時間オフセットを備え、任意の時間周波数リソース位置の時間オフセットが、時間領域内の前記時間周波数リソース位置の時間位置と前記無線フレームのフレームヘッダ位置との間の時間間隔に関する情報である、ステップと、
前記端末デバイスにより、前記第1のブロードキャスト情報内の第1の情報が前記第2のブロードキャスト情報内の第2の情報と同じであると判断するステップであって、前記第1の情報が前記第1のブロードキャスト情報内の前記第1の時間周波数リソース位置の前記時間オフセット以外の情報であり、前記第2の情報が前記第2のブロードキャスト情報内の前記第2の時間周波数リソース位置の前記時間オフセット以外の情報である、ステップと、
前記端末デバイスにより、時間領域内の前記第1の時間周波数リソース位置と前記第2の時間周波数リソース位置との間の時間オフセット差を特定し、前記時間オフセット差に対応する差分シーケンスを取得し、前記差分シーケンスに基づいてスクランブリング符号系列を生成するステップであって、1つの時間オフセット差が1つの固有の差分シーケンスに対応する、ステップと
を備える、物理ブロードキャストチャネル受信方法。
【請求項７】
前記端末デバイスにより、前記スクランブリング符号系列に基づいて前記第1のブロードキャストチャネル信号をスクランブル解除し、前記第2のブロードキャストチャネル信号の事前設定された第2のスクランブリング符号系列に基づいて前記第2のブロードキャストチャネル信号をスクランブル解除し、前記第2のブロードキャスト情報を取得するために、前記スクランブル解除された第1のブロードキャストチャネル信号および前記スクランブル解除された第2のブロードキャストチャネル信号に対してジョイント復号を実行するステップ、を更に備える、請求項6に記載の方法。
【請求項８】
前記端末デバイスにより、第1の情報が第2の情報と同じであると判断する前記ステップが、
前記端末デバイスにより、前記第1の物理ブロードキャストチャネルおよび前記第2の物理ブロードキャストチャネルの指示情報を取得し、前記指示情報に基づいて、前記第1の情報が前記第2の情報と同じであると判断するステップ、または
前記端末デバイスにより、複数の事前設定されたスクランブリング符号系列から、前記第1のブロードキャストチャネル信号の第1のスクランブリング符号系列および前記第2のブロードキャストチャネル信号の前記第2のスクランブリング符号系列を決定し、前記第1のスクランブリング符号系列および前記第2のスクランブリング符号系列に基づいて、前記第1の情報が前記第2の情報と同じであると判断するステップ
を備える、請求項6もしくは7に記載の方法。
【請求項９】
前記端末デバイスにより、指示情報を取得する前記ステップが、
前記端末デバイスにより、前記第1の物理ブロードキャストチャネルに対応する第1の同期信号および前記第2の物理ブロードキャストチャネルに対応する第2の同期信号を受信し、前記第1の同期信号および前記第2の同期信号で搬送された同期信号列に備えられる前記指示情報を取得するステップ
を備える、請求項8に記載の方法。
【請求項１０】
前記指示情報が、前記第1の同期信号および前記第2の同期信号で搬送された前記同期信号列である、請求項9に記載の方法。
【請求項１１】
前記端末デバイスにより、第1の情報が第2の情報と同じであると判断する前記ステップが、
前記端末デバイスにより、前記第1の物理ブロードキャストチャネルに対応する第1の同期信号および前記第2の物理ブロードキャストチャネルに対応する第2の同期信号を受信するステップと、
前記端末デバイスにより、前記第1の同期信号および前記第2の同期信号で搬送された同期信号列に基づいて、前記第1の情報が前記第2の情報と同じであると判断するステップと、
を備える、請求項6もしくは7に記載の方法。
【請求項１２】
前記端末デバイスにより、前記第1のスクランブリング符号系列および前記第2のスクランブリング符号系列に基づいて、前記第1の情報が前記第2の情報と同じであると判断する前記ステップが、
前記第1のスクランブリング符号系列が前記第2のスクランブリング符号系列と同じであると判断すると、前記端末デバイスにより、前記第1の情報が前記第2の情報と同じであると判断するステップ
を備える、請求項8に記載の方法。
【請求項１３】
前記端末デバイスが前記第2のブロードキャスト情報を取得した後に、前記方法が、
前記端末デバイスにより、前記第2のブロードキャスト情報に備えられる前記第2の時間周波数リソース位置の前記時間オフセットを取得するステップと、
前記端末デバイスにより、時間領域内の前記第2の時間周波数リソース位置の時間位置、および前記第2の時間周波数リソース位置の前記取得された時間オフセットに基づいて、前記無線フレームの前記フレームヘッダ位置を特定するステップと
をさらに備える、請求項6から12のいずれか一項に記載の方法。
【請求項１４】
無線フレーム内の少なくとも2つの時間周波数リソース位置で少なくとも2つの物理ブロードキャストチャネルを送信するように構成された送信ユニットであって、1つの時間周波数リソース位置が1つの物理ブロードキャストチャネルに対応し、前記物理ブロードキャストチャネルがブロードキャスト情報を搬送し、前記ブロードキャスト情報が、前記物理ブロードキャストチャネルに対応する時間周波数リソース位置の時間オフセットを備え、前記物理ブロードキャストチャネルに対応する前記時間周波数リソース位置の前記時間オフセットが、時間領域内の前記物理ブロードキャストチャネルに対応する前記時間周波数リソース位置の時間位置と、前記無線フレームのフレームヘッダ位置との間の時間間隔に関する情報であり、前記少なくとも2つの物理ブロードキャストチャネル上で搬送されたブロードキャスト情報に備えられる前記時間周波数リソース位置の時間オフセットが異なる、送信ユニットと、
前記少なくとも2つの物理ブロードキャストチャネル用の指示情報を生成するように構成された処理ユニットであって、前記指示情報が、前記時間周波数リソース位置の前記時間オフセット以外の情報が、前記少なくとも2つの物理ブロードキャストチャネル上で搬送された前記ブロードキャスト情報内で同じであることを、端末デバイスに通知するために使用される、処理ユニットと
を備え、
前記送信ユニットが、前記指示情報を送信するようにさらに構成される、
基地局。
【請求項１５】
前記送信ユニットが、
少なくとも2つの同期信号を送信することであって、任意の同期信号が前記少なくとも2つの物理ブロードキャストチャネルのうちの少なくとも1つに対応し、前記少なくとも2つの同期信号で搬送された同期信号列が、前記少なくとも2つの物理ブロードキャストチャネルの前記指示情報を備える、送信すること
を行うようにさらに構成される、請求項14に記載の基地局。
【請求項１６】
前記指示情報が、前記少なくとも2つの同期信号で搬送された前記同期信号列である、請求項15に記載の基地局。
【請求項１７】
前記少なくとも2つの時間周波数リソース位置のうちのいずれか1つの時間オフセットと、別の時間周波数リソース位置の時間オフセットとの間の差が、1つの固有の差分シーケンスに対応する、請求項14から16のいずれか一項に記載の基地局。
【請求項１８】
前記処理ユニットが、
前記送信ユニットが前記少なくとも2つの時間周波数リソース位置で前記少なくとも2つの対応するブロードキャストチャネルを送信する前に、少なくとも2つの対応するブロードキャストチャネル信号を生成するために、前記少なくとも2つの物理ブロードキャストチャネル上で搬送された前記ブロードキャスト情報に対して、同じ方式で、巡回冗長検査(CRC)符号の付加、チャネル符号化、スクランブリング、および変調を実行するようにさらに構成され、
前記送信ユニットが、
前記少なくとも2つの物理ブロードキャストチャネルの各々で、前記物理ブロードキャストチャネル上で搬送されたブロードキャスト情報に対応するブロードキャストチャネル信号を送信するようにさらに構成される、
請求項14から17のいずれか一項に記載の基地局。
【請求項１９】
無線フレーム内の第1の時間周波数リソース位置で対応する第1の物理ブロードキャストチャネル上の第1のブロードキャストチャネル信号を受信し、第2の時間周波数リソース位置で対応する第2の物理ブロードキャストチャネル上の第2のブロードキャストチャネル信号を受信するように構成された受信ユニットであって、前記第1のブロードキャストチャネル信号が第1のブロードキャスト情報を搬送し、前記第1のブロードキャスト情報が前記第1の時間周波数リソース位置の時間オフセットを備え、前記第2のブロードキャストチャネル信号が第2のブロードキャスト情報を搬送し、前記第2のブロードキャスト情報が前記第2の時間周波数リソース位置の時間オフセットを備え、任意の時間周波数リソース位置の時間オフセットが、時間領域内の前記時間周波数リソース位置の時間位置と前記無線フレームのフレームヘッダ位置との間の時間間隔に関する情報である、受信ユニットと、
前記第1のブロードキャスト情報内の第1の情報が前記第2のブロードキャスト情報内の第2の情報と同じであると判断することであって、前記第1の情報が前記第1のブロードキャスト情報内の前記第1の時間周波数リソース位置の前記時間オフセット以外の情報であり、前記第2の情報が前記第2のブロードキャスト情報内の前記第2の時間周波数リソース位置の前記時間オフセット以外の情報である、判断することと、
時間領域内の前記第1の時間周波数リソース位置と前記第2の時間周波数リソース位置との間の時間オフセット差を特定することと、
前記時間オフセット差に対応する差分シーケンスを取得し、前記差分シーケンスに基づいてスクランブリング符号系列を生成することであって、1つの時間オフセット差が1つの固有の差分シーケンスに対応する、生成することと
を行うように構成された処理ユニットと
を備える、端末デバイス。
【請求項２０】
前記処理ユニットが、
前記スクランブリング符号系列に基づいて前記第1のブロードキャストチャネル信号をスクランブル解除し、前記第2のブロードキャストチャネル信号の事前設定された第2のスクランブリング符号系列に基づいて前記第2のブロードキャストチャネル信号をスクランブル解除し、前記第2のブロードキャスト情報を取得するために、前記スクランブル解除された第1のブロードキャストチャネルおよび前記スクランブル解除された第2のブロードキャストチャネルに対してジョイント復号を実行すること
を行うようにさらに構成される、請求項19に記載の端末デバイス。
【請求項２１】
前記処理ユニットが、
前記第1の物理ブロードキャストチャネルおよび前記第2の物理ブロードキャストチャネルの指示情報を取得し、前記指示情報に基づいて、前記第1の情報が前記第2の情報と同じであると判断すること、または
複数の事前設定されたスクランブリング符号系列から、前記第1のブロードキャストチャネル信号の第1のスクランブリング符号系列および前記第2のブロードキャストチャネル信号の前記第2のスクランブリング符号系列を決定し、前記第1のスクランブリング符号系列および前記第2のスクランブリング符号系列に基づいて、前記第1の情報が前記第2の情報と同じであると判断すること
を行うようにさらに構成される、請求項19もしくは20に記載の端末デバイス。
【請求項２２】
前記受信ユニットが、前記第1の物理ブロードキャストチャネルに対応する第1の同期信号および前記第2の物理ブロードキャストチャネルに対応する第2の同期信号を受信するようにさらに構成され、
前記処理ユニットが、
前記第1の同期信号および前記第2の同期信号で搬送された同期信号列に備えられる前記指示情報を取得するようにさらに構成される、
請求項21に記載の端末デバイス。
【請求項２３】
前記指示情報が、前記第1の同期信号および前記第2の同期信号で搬送された前記同期信号列である、請求項22に記載の端末デバイス。
【請求項２４】
前記受信ユニットが、
前記第1の物理ブロードキャストチャネルに対応する第1の同期信号および前記第2の物理ブロードキャストチャネルに対応する第2の同期信号を受信することを、行うようにさらに構成され、
前記処理ユニットが、
前記第1の同期信号および前記第2の同期信号で搬送された同期信号列に基づいて、前記第1の情報が前記第2の情報と同じであると判断することを、行うようにさらに構成される、
請求項19もしくは20に記載の端末デバイス。
【請求項２５】
前記処理ユニットが、
前記第1のスクランブリング符号系列が前記第2のスクランブリング符号系列と同じであると判断すると、前記第1の情報が前記第2の情報と同じであると判断するようにさらに構成される、
請求項21に記載の端末デバイス。
【請求項２６】
前記処理ユニットが、
前記第2のブロードキャスト情報を取得した後に、前記第2のブロードキャスト情報に備えられる前記第2の時間周波数リソース位置の前記時間オフセットを取得することと、
時間領域内の前記第2の時間周波数リソース位置の時間位置、および前記第2の時間周波数リソース位置の前記取得された時間オフセットに基づいて、前記無線フレームの前記フレームヘッダ位置を特定することと
を行うようにさらに構成される、請求項20から25のいずれか一項に記載の端末デバイス。
【請求項２７】
プロセッサと、前記プロセッサによる実行のための命令を格納する格納媒体とを備える装置であって、前記命令が実行された場合に、前記プロセッサが請求項1から13のいずれか1項に記載の方法のステップを実行するものである、装置。
【請求項２８】
通信デバイスのプロセッサ上で実行された場合に、前記通信デバイスに請求項1から13のいずれか1項に記載の方法のステップを実行させるコンピュータプログラムコードを備える、コンピュータプログラム。
【手続補正２】
【補正対象書類名】明細書
【補正対象項目名】０２１５
【補正方法】変更
【補正の内容】
【０２１５】
プロセッサ1102は、図3に示された物理ブロードキャストチャネル送信方法を実施するように構成され、更に、
無線フレーム内の少なくとも2つの時間周波数リソース位置で少なくとも2つの物理ブロードキャストチャネルを送信することであって、1つの時間周波数リソース位置が1つの物理ブロードキャストチャネルに対応し、物理ブロードキャストチャネルがブロードキャスト情報を搬送し、ブロードキャスト情報が、物理ブロードキャストチャネルに対応する時間周波数リソース位置の時間オフセットを含み、物理ブロードキャストチャネルに対応する時間周波数リソース位置の時間オフセットが、時間領域内の物理ブロードキャストチャネルに対応する時間周波数リソース位置の時間位置と、無線フレームのフレームヘッダ位置との間の時間間隔に関する情報であり、少なくとも2つの物理ブロードキャストチャネル上で搬送されたブロードキャスト情報に含まれる時間周波数リソース位置の時間オフセットが異なる、送信することと、
少なくとも2つの物理ブロードキャストチャネル用の指示情報を送信することであって、指示情報が、時間周波数リソース位置の時間オフセット以外の情報が、少なくとも2つの物理ブロードキャストチャネル上で搬送されたブロードキャスト情報内で同じであることを、端末デバイスに通知するために使用される、送信することと
を行うように構成される。
【手続補正３】
【補正対象書類名】明細書
【補正対象項目名】０２２５
【補正方法】変更
【補正の内容】
【０２２５】
プロセッサ1202は、図5に示された物理ブロードキャストチャネル受信方法を実施するように構成され、更に、
無線フレーム内の第1の時間周波数リソース位置で対応する第1の物理ブロードキャストチャネル上の第1のブロードキャストチャネル信号を受信し、第2の時間周波数リソース位置で対応する第2の物理ブロードキャストチャネル上の第2のブロードキャストチャネル信号を受信することであって、ここで、第1のブロードキャストチャネル信号が第1のブロードキャスト情報を搬送し、第1のブロードキャスト情報が第1の時間周波数リソース位置の時間オフセットを含み、第2のブロードキャストチャネル信号が第2のブロードキャスト情報を搬送し、第2のブロードキャスト情報が第2の時間周波数リソース位置の時間オフセットを含み、任意の時間周波数リソース位置の時間オフセットが、時間領域内の時間周波数リソース位置の時間位置と無線フレームのフレームヘッダ位置との間の時間間隔に関する情報であり、
第1のブロードキャスト情報内の第1の情報が第2のブロードキャスト情報内の第2の情報と同じであると判断することであって、ここで、第1の情報が第1のブロードキャスト情報内の第1の時間周波数リソース位置の時間オフセット以外の情報であり、第2の情報が第2のブロードキャスト情報内の第2の時間周波数リソース位置の時間オフセット以外の情報であり、
時間領域内の第1の時間周波数リソース位置と第2の時間周波数リソース位置との間の時間オフセット差を特定し、
時間オフセット差に対応する差分シーケンスを取得し、差分シーケンスに基づいてスクランブリング符号系列を生成することであって、ここで、1つの時間オフセット差が1つの固有の差分シーケンスに対応し、
スクランブリング符号系列に基づいて第1のブロードキャストチャネル信号をスクランブル解除し、第2のブロードキャストチャネル信号の事前設定された第2のスクランブリング符号系列に基づいて第2のブロードキャストチャネル信号をスクランブル解除し、第2のブロードキャスト情報を取得するために、スクランブル解除された第1のブロードキャストチャネル信号およびスクランブル解除された第2のブロードキャストチャネル信号に対してジョイント復号を実行する、
ように構成される。
【国際調査報告】
2019526964.tif 000019
2019526964.tif 000020
2019526964.tif 000021
2019526964.tif 000022